(57)【特許請求の範囲】
【請求項１】
画像データの入力値にゲイン又はオフセットを与える入力値調整手段と、
前記入力値調整手段によりゲイン又はオフセットを与えた画像データの入力値を補正するための補正データのテーブルであって、補正前の値であるＬＵＴ入力値とそのＬＵＴ入力値に対する補正後の値であるＬＵＴ出力値との関係を示すテーブルであるＬＵＴと、
前記ＬＵＴの補正データに基いて補正した画像データの入力値による画像を表示するディスプレイと、
前記ディスプレイに表示される調整用画像の色バランスが所定の色バランスとなるときの、前記入力値調整手段により調整用画像の画像データの入力値に与えられるゲイン又はオフセットの値である調整値を、適合時調整値とし、この適合時調整値を取得する適合時調整値取得手段と、
前記ＬＵＴのＬＵＴ入力値の取り得る最大値より大きい値である拡張部入力値とその拡張部入力値に対する補正後の値である拡張部出力値との関係を示すテーブルであるＬＵＴ拡張部を設定するＬＵＴ拡張部設定手段と、
前記適合時調整値取得手段により取得した適合時調整値、前記調整用画像の画像データの入力値、前記ＬＵＴの補正データ、及び前記ＬＵＴ拡張部設定手段により設定したＬＵＴ拡張部の補正データに基いて、前記ＬＵＴの補正データを計算するＬＵＴ計算手段と、
を備え、
前記ＬＵＴ拡張部設定手段は、前記ＬＵＴのＬＵＴ入力値の採り得る最大値に対するＬＵＴ出力値が、前記ＬＵＴのＬＵＴ出力値の採り得る最大値に達しておらず、かつ、前記適合時調整値取得手段により取得した適合時調整値が、前記入力値調整手段により調整用画像の画像データの入力値に与えられる調整値の初期値である基準調整値よりも大きい場合に、前記ＬＵＴ拡張部を設定することを特徴とする画像表示装置。
【請求項２】
前記ＬＵＴのＬＵＴ入力値及び前記ＬＵＴ拡張部の拡張部入力値をｘとし、前記ＬＵＴの計算前のＬＵＴ出力値をｙ＝Ｆ（ｘ）とし、前記ＬＵＴ拡張部の拡張部出力値をＨ（ｘ）とし、前記ＬＵＴの計算後のＬＵＴ出力値をｙ＝Ｇ（ｘ）として、前記ＬＵＴの計算後のＬＵＴ出力値ｙ＝Ｇ（ｘ）が、
（１）Ｈｉ＜ｘの範囲において、
（Ａ）１＜ＧａｉｎＨの場合には、
（Ａ−１）Ｆ（ＭＡＸｉ）＜ＭＡＸｏであれば、
（ＬＵＴ拡張部を設定していれば）
（ｉ）ＧａｉｎＨ≦Ｑ／ＭＡＸｉのとき、
（ｉ−１）０≦ＧａｉｎＨ×ｘ≦ＭＡＸｉとなるｘの範囲において、
ｙ＝Ｇ（ｘ）＝Ｆ（ＧａｉｎＨ×ｘ）、
（ｉ―２）ＭＡＸｉ＜ＧａｉｎＨ×ｘ≦Ｑとなるｘの範囲において、
ｙ＝Ｇ（ｘ）＝Ｈ（ＧａｉｎＨ×ｘ）、
（ｉｉ）Ｑ／ＭＡＸｉ＜ＧａｉｎＨのとき、
（ｉｉ―１）０＜ｃ×ｘ＋ｄ≦ＭＡＸｉとなるｘの範囲において、
ｙ＝Ｇ（ｘ）＝Ｆ（ｃ×ｘ＋ｄ）、
（ｉｉ−２）ＭＡＸｉ＜ｃ×ｘ＋ｄ≦Ｑとなるｘの範囲において、
ｙ＝Ｇ（ｘ）＝Ｈ（ｃ×ｘ＋ｄ）、
（但し、Ｈｉｒｅｆ：第２の調整用画像の画像データの入力値
ＧａｉｎＨ：第２の調整用画像の色バランスが所定の色バランスとなるときの、
Ｈｉｒｅｆに与えられるゲインの値（適合時調整値）
ｃ＝（Ｑ−Ｈｏｒｅｆ）／（ＭＡＸｉ−Ｈｉｒｅｆ）
ｄ＝Ｈｏｒｅｆ−Ｈｉｒｅｆ×（Ｑ−Ｈｏｒｅｆ）／（ＭＡＸｉ−Ｈｉｒｅｆ）
Ｈｏｒｅｆ＝Ｈｉｒｅｆ×ＧａｉｎＨ
ＭＡＸｉ：Ｆ（ｘ）、Ｇ（ｘ）におけるＬＵＴ入力値ｘの採り得る最大値
ＭＡＸｏ：Ｆ（ｘ）、Ｇ（ｘ）の取り得る最大値
Ｑ：Ｈ（ｘ）における拡張部入力値ｘの採り得る最大値）
の計算式に基いて算出されることを特徴とする請求項１に記載の画像表示装置。
【請求項３】
入力信号の輝度レベルを変換するルックアップテーブルと、
前記ルックアップテーブルに基いて画像を表示する表示部とを備える画像表示装置であって、
前記ルックアップテーブルは、第１の輝度レベル以下の第１の範囲、第１の輝度レベルより高く第２の輝度レベルより低い第２の範囲、第２の輝度レベル以上の第３の範囲を有し、前記第１の範囲において、所定の第１のゲイン値と該ルックアップテーブルに基き、前記第２の範囲において、前記第１のゲイン値と所定の第２のゲイン値と該ルックアップテーブルに基き、前記第３の範囲において、前記第２のゲイン値と該ルックアップテーブルに基いて算出された第１の補正データを該ルックアップテーブルに設定し、
前記ルックアップテーブルは事前に設定された第２の補正データを有し、
前記第２の補正データが設定されたルックアップテーブルの入力値の採り得る最大値に対する出力値が、所定の出力値より小さく、かつ、前記第２のゲイン値が、所定のゲイン値より大きい場合に設定され、前記第２の補正データが設定されたルックアップテーブルの入力値の採り得る最大値よりも大きい入力値に対応するルックアップテーブル拡張部を備えることを特徴とする画像表示装置。
【請求項４】
前記ルックアップテーブルの入力値及び前記ルックアップテーブル拡張部の入力値をｘとし、前記第２の補正データが設定されたルックアップテーブルの出力値をｙ＝Ｆ（ｘ）とし、前記ルックアップテーブル拡張部の出力値をＨ（ｘ）とし、前記第１の補正データが設定されたルックアップテーブルの出力値をｙ＝Ｇ（ｘ）として、前記ｙ＝Ｇ（ｘ）が、
（１）Ｈｉ＜ｘの範囲において、
（Ａ）１＜ＧａｉｎＨの場合には、
（Ａ−１）Ｆ（ＭＡＸｉ）＜ＭＡＸｏであれば、
（ｉ）ＧａｉｎＨ≦Ｑ／ＭＡＸｉのとき、
（ｉ−１）０≦ＧａｉｎＨ×ｘ≦ＭＡＸｉとなるｘの範囲において、
ｙ＝Ｇ（ｘ）＝Ｆ（ＧａｉｎＨ×ｘ）、
（ｉ―２）ＭＡＸｉ＜ＧａｉｎＨ×ｘ≦Ｑとなるｘの範囲において、
ｙ＝Ｇ（ｘ）＝Ｈ（ＧａｉｎＨ×ｘ）、
（ｉｉ）Ｑ／ＭＡＸｉ＜ＧａｉｎＨのとき、
（ｉｉ―１）０＜ｃ×ｘ＋ｄ≦ＭＡＸｉとなるｘの範囲において、
ｙ＝Ｇ（ｘ）＝Ｆ（ｃ×ｘ＋ｄ）、
（ｉｉ−２）ＭＡＸｉ＜ｃ×ｘ＋ｄ≦Ｑとなるｘの範囲において、
ｙ＝Ｇ（ｘ）＝Ｈ（ｃ×ｘ＋ｄ）、
（但し、Ｈｉｒｅｆ：第２の輝度レベル
ＧａｉｎＨ：第２のゲイン値
ｃ＝（Ｑ−Ｈｏｒｅｆ）／（ＭＡＸｉ−Ｈｉｒｅｆ）
ｄ＝Ｈｏｒｅｆ−Ｈｉｒｅｆ×（Ｑ−Ｈｏｒｅｆ）／（ＭＡＸｉ−Ｈｉｒｅｆ）
Ｈｏｒｅｆ＝Ｈｉｒｅｆ×ＧａｉｎＨ
ＭＡＸｉ：Ｆ（ｘ）、Ｇ（ｘ）における入力値ｘの採り得る最大値
ＭＡＸｏ：Ｆ（ｘ）、Ｇ（ｘ）の取り得る最大値
Ｑ：Ｈ（ｘ）における入力値ｘの採り得る最大値）
の計算式に基いて算出されることを特徴とする請求項３に記載の画像表示装置。
【請求項５】
前記ｙ＝Ｇ（ｘ）が、
（１）Ｈｉ＜ｘの範囲において、
（Ａ）１＜ＧａｉｎＨの場合には、
（Ａ−２）Ｆ（ＭＡＸｉ）＝ＭＡＸｏであれば、
ｙ＝Ｇ（ｘ）＝Ｆ（ａ１×ｘ＋ｂ１）、
（但し、ａ１＝（ＭＡＸｏ−Ｈｏｒｅｆ）／（ＭＡＸｉ−Ｈｉｒｅｆ）
ｂ１＝Ｈｏｒｅｆ−Ｈｉｒｅｆ×（ＭＡＸｏ−Ｈｏｒｅｆ）／（ＭＡＸｉ−Ｈｉｒｅｆ）
の計算式に基いて算出されることを特徴とする請求項４に記載の画像表示装置。
【請求項６】
前記ｙ＝Ｇ（ｘ）が、
（１）Ｈｉ＜ｘの範囲において、
（Ｂ）ＧａｉｎＨ≦１の場合には、
ｙ＝Ｇ（ｘ）＝Ｆ（ＧａｉｎＨ×ｘ）、
（２）ｘ≦Ｌｉの範囲において、
ｙ＝Ｇ（ｘ）＝Ｆ（ＧａｉｎＬ×ｘ）、
（３）Ｌｉ＜ｘ≦Ｈｉの範囲において、
ｙ＝Ｇ（ｘ）＝Ｆ（（α×ＧａｉｎＨ＋（１−α）×ＧａｉｎＬ）×ｘ）、
（但し、Ｌｉｒｅｆ：第１の輝度レベル
ＧａｉｎＬ：第１のゲイン値）
α＝（ｘ−Ｌｉｒｅｆ）／（Ｈｉｒｅｆ−Ｌｉｒｅｆ）：補間係数
の計算式に基いて算出されることを特徴とする請求項４又は請求項５に記載の画像表示装置。
【請求項７】
画像データの入力値にゲイン又はオフセットを与える入力値調整手段と、
前記入力値調整手段によりゲイン又はオフセットを与えた画像データの入力値を補正するための補正データのテーブルであって、補正前の値であるＬＵＴ入力値とそのＬＵＴ入力値に対する補正後の値であるＬＵＴ出力値との関係を示すテーブルであるＬＵＴと、
前記ＬＵＴの補正データに基いて補正した画像データの入力値による画像を表示するディスプレイと、
前記ディスプレイに表示される調整用画像の色バランスが所定の色バランスとなるときの、前記入力値調整手段により調整用画像の画像データの入力値に与えられるゲイン又はオフセットの値である調整値を、適合時調整値とし、この適合時調整値を取得する適合時調整値取得手段と、
前記適合時調整値取得手段により取得した適合時調整値を正規化する適合時調整値正規化手段と、
前記調整用画像の画像データの入力値を正規化する調整用入力値正規化手段と、
前記ＬＵＴのＬＵＴ入力値の取り得る最大値より大きい値である拡張部入力値とその拡張部入力値に対する補正後の値である拡張部出力値との関係を示すテーブルであるＬＵＴ拡張部を設定するＬＵＴ拡張部設定手段と、
前記適合時調整値正規化手段により正規化した適合時調整値、前記調整用入力値正規化手段により正規化した調整用画像の画像データの入力値、前記ＬＵＴの補正データ、及び前記ＬＵＴ拡張部設定手段により設定したＬＵＴ拡張部の補正データに基いて、前記ＬＵＴの補正データを計算するＬＵＴ計算手段と、
を備え、
前記ＬＵＴ拡張部設定手段は、前記ＬＵＴのＬＵＴ入力値の採り得る最大値に対するＬＵＴ出力値が、前記ＬＵＴのＬＵＴ出力値の採り得る最大値に達しておらず、かつ、前記適合時調整値取得手段により取得した適合時調整値が、前記入力値調整手段により調整用画像の画像データの入力値に与えられる調整値の初期値である基準調整値よりも大きい場合に、前記ＬＵＴ拡張部を設定することを特徴とする画像表示装置。
【請求項８】
前記ＬＵＴのＬＵＴ入力値及び前記ＬＵＴ拡張部の拡張部入力値をｘとし、前記ＬＵＴの計算前のＬＵＴ出力値をｙ＝Ｆ（ｘ）とし、前記ＬＵＴ拡張部の拡張部出力値をＨ（ｘ）とし、前記ＬＵＴの計算後のＬＵＴ出力値をｙ＝Ｇ（ｘ）として、前記ＬＵＴの計算後のＬＵＴ出力値ｙ＝Ｇ（ｘ）が、
（１）ｘ≦Ｌｉｎの範囲において、
ｙ＝Ｇ（ｘ）＝Ｆ（ＧａｉｎＬｎ×ｘ）、
（２）Ｌｉｎ＜ｘ≦Ｈｉｎの範囲において、
ｙ＝Ｇ（ｘ）＝Ｆ（（αｎ×ＧａｉｎＨｎ＋（１−αｎ）×ＧａｉｎＬｎ）×ｘ）、
（３）Ｈｉｎ＜ｘの範囲において、
（Ａ）ＧａｉｎＨｎ≦１の場合には、
ｙ＝Ｇ（ｘ）＝Ｆ（ＧａｉｎＨｎ×ｘ）、
（Ｂ）１＜ＧａｉｎＨｎの場合には、
（Ｂ−１）Ｆ（ＭＡＸｉ）＝ＭＡＸｏであれば、
（ＬＵＴ拡張部を設定していなければ）
ｙ＝Ｇ（ｘ）＝Ｆ（ａ１ｎ×ｘ＋ｂ１ｎ）、
（Ｂ−２）Ｆ（ＭＡＸｉ）＜ＭＡＸｏであれば、
（ＬＵＴ拡張部を設定していれば）
（ｉ）ＧａｉｎＨｎ≦Ｑ／ＭＡＸｉのとき、
（ｉ−１）０≦ＧａｉｎＨｎ×ｘ≦ＭＡＸｉとなるｘの範囲において、
ｙ＝Ｇ（ｘ）＝Ｆ（ＧａｉｎＨｎ×ｘ）、
（ｉ―２）ＭＡＸｉ＜ＧａｉｎＨｎ×ｘ≦Ｑとなるｘの範囲において、
ｙ＝Ｇ（ｘ）＝Ｈ（ＧａｉｎＨｎ×ｘ）、
（ｉｉ）Ｑ／ＭＡＸｉ＜ＧａｉｎＨｎのとき、
（ｉｉ―１）０＜ｃｎ×ｘ＋ｄｎ≦ＭＡＸｉとなるｘの範囲において、
ｙ＝Ｇ（ｘ）＝Ｆ（ｃｎ×ｘ＋ｄｎ）、
（ｉｉ−２）ＭＡＸｉ＜ｃｎ×ｘ＋ｄｎ≦Ｑとなるｘの範囲において、
ｙ＝Ｇ（ｘ）＝Ｈ（ｃｎ×ｘ＋ｄｎ）、
（但し、Ｇａｉｎｒｅｆ：画像データの入力値に与えられるゲインの値（調整値）の初期値
（基準調整値）
Ｌｉｒｅｆ：第１の調整用画像の画像データの入力値
Ｈｉｒｅｆ：第２の調整用画像の画像データの入力値
（Ｌｉｒｅｆ＜Ｈｉｒｅｆ）
ＧａｉｎＬ：第１の調整用画像の色バランスが所定の色バランスとなるときの、
Ｌｉｒｅｆに与えられるゲインの値（適合時調整値）
ＧａｉｎＨ：第２の調整用画像の色バランスが所定の色バランスとなるときの、
Ｈｉｒｅｆに与えられるゲインの値（適合時調整値）
ＧａｉｎＬｎ＝ＧａｉｎＬ／Ｇａｉｎｒｅｆ：ＧａｉｎＬを正規化した値
ＧａｉｎＨｎ＝ＧａｉｎＨ／Ｇａｉｎｒｅｆ：ＧａｉｎＨを正規化した値
Ｌｉｎ＝Ｌｉｒｅｆ×Ｇａｉｎｒｅｆ：Ｌｉｒｅｆを正規化した値
Ｈｉｎ＝Ｈｉｒｅｆ×Ｇａｉｎｒｅｆ：Ｈｉｒｅｆを正規化した値
αｎ＝（ｘ−Ｌｉｎ）／（Ｈｉｎ−Ｌｉｎ）：補間係数
ａ１ｎ＝（ＭＡＸｏ−Ｈｏｎ）／（ＭＡＸｉ−Ｈｉｎ）
ｂ１ｎ＝Ｈｏｎ−Ｈｉｎ×（ＭＡＸｏ−Ｈｏｎ）／（ＭＡＸｉ−Ｈｉｎ）
ｃｎ＝（Ｑ−Ｈｏｎ）／（ＭＡＸｉ−Ｈｉｎ）
ｄｎ＝Ｈｏｎ−Ｈｉｎ×（Ｑ−Ｈｏｎ）／（ＭＡＸｉ−Ｈｉｎ）
Ｈｏｎ＝Ｈｉｎ×ＧａｉｎＨｎ
ＭＡＸｉ：Ｆ（ｘ）、Ｇ（ｘ）におけるＬＵＴ入力値ｘの採り得る最大値
ＭＡＸｏ：Ｆ（ｘ）、Ｇ（ｘ）の取り得る最大値
Ｑ：Ｈ（ｘ）における拡張部入力値ｘの採り得る最大値）
の計算式に基いて算出されることを特徴とする請求項７に記載の画像表示装置。
【発明の詳細な説明】
【技術分野】
【０００１】
本発明は、ディスプレイに画像を表示する画像表示装置、及び画像表示装置に備えられるＬＵＴの補正データを調整するＬＵＴ調整方法に関するものである。
【背景技術】
【０００２】
従来から、例えばテレビジョン受信装置などの画像表示装置において、ディスプレイとして液晶パネルを用い、液晶パネルに画像を表示するものがある。このような画像表示装置では、表示する画像の色度を補正するための補正データのテーブルであるＬＵＴを備えており、画像を、ＬＵＴの補正データに基いて色度を補正したうえで、液晶パネルに表示するようになっている。ＬＵＴは、画像データの入力値を補正するための補正データのテーブルであって、補正前の値であるＬＵＴ入力値とそのＬＵＴ入力値に対する補正後の値であるＬＵＴ出力値との関係を示すテーブルである。すなわち、このような画像表示装置では、画像データの入力値をＬＵＴの補正データに基いて補正して、この補正した入力値による画像を液晶パネルに表示するようになっている。
【０００３】
また、このような画像表示装置では、画像データの入力値にゲインを与えるためのゲイン調整部を設けて、ゲイン調整部のゲインの値（画像データの入力値に与えるゲインの値）を調整することにより、表示する画像の色度特性をノーマルタイプや、クールタイプ、ウォームタイプといった、様々なタイプの所望の色度特性に調整するようにしている。
【０００４】
ＬＵＴの補正データは、液晶パネルとして１台の標準パネルを用いて、その標準パネルに表示される画像の色度に基いて、計算されて作成される。また、ゲイン調整部のゲインの値も、標準パネルを用いて、その標準パネルに表示される画像の色度に基いて、決定される。
【０００５】
一方、コントラストを測定し、表示に利用できうるダイナミックレンジを設定し、このダイナミックレンジに合わせてゲイン調整、及びオフセット調整を行い、その後に、ダイナミックレンジがフルレンジとなるようにルックアップテーブルのデータを再計算して書込むようにした画像表示装置が知られている（例えば特許文献１参照）。また、出力画像データの階調値を引数とし、引数で表される階調値のルックアップテーブルにおける使用の有無を示す論理値を配列要素とし、引数と、配列要素の和とに基いて、ルックアップテーブルを生成するようにした表示制御装置が知られている（例えば特許文献２参照）。また、３原色の入力映像信号を、第１のゲインデータに従って互いに同じゲインでレベル調整して、３原色の内部映像信号を生成し、３原色の内部映像信号から画素単位ごとに選択した最大値をアドレスとして非線形な特性を書き込んだルックアップテーブルによって、３原色の内部映像信号から画素単位ごとに選択した最大値に応じた第２のゲインデータを生成し、入力された非線形特性データに従ってルックアップテーブルを書換えるようにした映像信号処理装置が知られている（例えば特許文献３参照）。
【先行技術文献】
【特許文献】
【０００６】
【特許文献１】特許第３６９７９９７号公報
【特許文献２】特許第４５３６５８２号公報
【特許文献３】特開２００４−１８００９０号公報
【発明の概要】
【発明が解決しようとする課題】
【０００７】
ところで、画像表示装置において、液晶パネルには個体差がある。このため、画像表示装置に、標準パネルで作成したのと同じＬＵＴを採用し、標準パネルで決定したのと同じゲインの値を設定したとしても、その画像表示装置の液晶パネルに表示される画像の色度特性は、基準の色度特性（標準パネルで設計した色度特性）と異なった特性となってしまう。
【０００８】
従って、画像表示装置において、表示される画像の色度特性を基準の色度特性にするには、表示画像の色度特性を調整するホワイトバランス・γ調整を行う必要がある。ホワイトバランス・γ調整は、ＬＵＴの補正データを計算して（再度、新しく計算して）書換えることにより行うことが考えられる。
【０００９】
しかしながら、ゲイン調整部のゲインの値が調整されて色度特性が調整（ノーマルタイプや、クールタイプ、ウォームタイプといった、様々なタイプの所望の色度特性に調整）されている場合には、ゲインの値が調整されていることが原因となって、期待するホワイトバランス・γ調整を実現できない虞がある。すなわち、様々な色度特性に合わせた適切なホワイトバランス・γ調整を実現できない虞がある。また、単純に基準の色度特性となるようにＬＵＴの補正データを計算したのでは、ディスプレイの最大輝度がＬＵＴの最大出力値で制限されてしまう虞がある。その結果、ディスプレイの最大輝度ポテンシャルを有効活用できずに、輝度が低下してしまう虞があり、また、高階調の画像に対して、適切な色度補正を行えない虞がある。なお、上述した特許文献１乃至特許文献３に開示の内容を適用したとしても、上記の問題を解決することはできない。
【００１０】
本発明は、上記課題を解決するためになされたものであり、様々な色度特性に合わせた適切なホワイトバランス・γ調整を実現することができる画像表示装置、及びＬＵＴ調整方法を提供することを目的とする。
【００１１】
また、本発明は、上記課題を解決するためになされたものであり、ディスプレイの最大輝度ポテンシャルを有効活用しつつ高階調に対して適切な色度補正を可能とするホワイトバランス・γ調整を実現することができる画像表示装置、及びＬＵＴ調整方法を提供することを目的とする。
【課題を解決するための手段】
【００１２】
上記目的を達成するために本発明の画像表示装置は、画像データの入力値にゲイン又はオフセットを与える入力値調整手段と、入力値調整手段によりゲイン又はオフセットを与えた画像データの入力値を補正するための補正データのテーブルであって、補正前の値であるＬＵＴ入力値とそのＬＵＴ入力値に対する補正後の値であるＬＵＴ出力値との関係を示すテーブルであるＬＵＴと、ＬＵＴの補正データに基いて補正した画像データの入力値による画像を表示するディスプレイと、ディスプレイに表示される調整用画像の色バランスが所定の色バランスとなるときの、入力値調整手段により調整用画像の画像データの入力値に与えられるゲイン又はオフセットの値である調整値を、適合時調整値とし、この適合時調整値を取得する適合時調整値取得手段と、ＬＵＴのＬＵＴ入力値の取り得る最大値より大きい値である拡張部入力値とその拡張部入力値に対する補正後の値である拡張部出力値との関係を示すテーブルであるＬＵＴ拡張部を設定するＬＵＴ拡張部設定手段と、適合時調整値取得手段により取得した適合時調整値、調整用画像の画像データの入力値、ＬＵＴの補正データ、及びＬＵＴ拡張部設定手段により設定したＬＵＴ拡張部の補正データに基いて、ＬＵＴの補正データを計算するＬＵＴ計算手段と、を備え、ＬＵＴ拡張部設定手段は、ＬＵＴのＬＵＴ入力値の採り得る最大値に対するＬＵＴ出力値が、ＬＵＴのＬＵＴ出力値の採り得る最大値に達しておらず、かつ、適合時調整値取得手段により取得した適合時調整値が、入力値調整手段により調整用画像の画像データの入力値に与えられる調整値の初期値である基準調整値よりも大きい場合に、ＬＵＴ拡張部を設定する、ものである。
【００１３】
また、本発明の画像表示装置において、ＬＵＴのＬＵＴ入力値及びＬＵＴ拡張部の拡張部入力値をｘとし、ＬＵＴの計算前のＬＵＴ出力値をｙ＝Ｆ（ｘ）とし、ＬＵＴ拡張部の拡張部出力値をＨ（ｘ）とし、ＬＵＴの計算後のＬＵＴ出力値をｙ＝Ｇ（ｘ）として、ＬＵＴの計算後のＬＵＴ出力値ｙ＝Ｇ（ｘ）が、
（１）Ｈｉ＜ｘの範囲において、
（Ａ）１＜ＧａｉｎＨの場合には、
（Ａ−１）Ｆ（ＭＡＸｉ）＜ＭＡＸｏであれば、
（ＬＵＴ拡張部を設定していれば）
（ｉ）ＧａｉｎＨ≦Ｑ／ＭＡＸｉのとき、
（ｉ−１）０≦ＧａｉｎＨ×ｘ≦ＭＡＸｉとなるｘの範囲において、
ｙ＝Ｇ（ｘ）＝Ｆ（ＧａｉｎＨ×ｘ）、
（ｉ―２）ＭＡＸｉ＜ＧａｉｎＨ×ｘ≦Ｑとなるｘの範囲において、
ｙ＝Ｇ（ｘ）＝Ｈ（ＧａｉｎＨ×ｘ）、
（ｉｉ）Ｑ／ＭＡＸｉ＜ＧａｉｎＨのとき、
（ｉｉ―１）０＜ｃ×ｘ＋ｄ≦ＭＡＸｉとなるｘの範囲において、
ｙ＝Ｇ（ｘ）＝Ｆ（ｃ×ｘ＋ｄ）、
（ｉｉ−２）ＭＡＸｉ＜ｃ×ｘ＋ｄ≦Ｑとなるｘの範囲において、
ｙ＝Ｇ（ｘ）＝Ｈ（ｃ×ｘ＋ｄ）、
（但し、Ｈｉｒｅｆ：第２の調整用画像の画像データの入力値
ＧａｉｎＨ：第２の調整用画像の色バランスが所定の色バランスとなるときの、
Ｈｉｒｅｆに与えられるゲインの値（適合時調整値）
ｃ＝（Ｑ−Ｈｏｒｅｆ）／（ＭＡＸｉ−Ｈｉｒｅｆ）
ｄ＝Ｈｏｒｅｆ−Ｈｉｒｅｆ×（Ｑ−Ｈｏｒｅｆ）／（ＭＡＸｉ−Ｈｉｒｅｆ）
Ｈｏｒｅｆ＝Ｈｉｒｅｆ×ＧａｉｎＨ
ＭＡＸｉ：Ｆ（ｘ）、Ｇ（ｘ）におけるＬＵＴ入力値ｘの採り得る最大値
ＭＡＸｏ：Ｆ（ｘ）、Ｇ（ｘ）の取り得る最大値
Ｑ：Ｈ（ｘ）における拡張部入力値ｘの採り得る最大値）
の計算式に基いて算出される、ものが望ましい。
【００１４】
また、本発明の画像表示装置は、入力信号の輝度レベルを変換するルックアップテーブルと、ルックアップテーブルに基いて画像を表示する表示部とを備える画像表示装置であって、ルックアップテーブルは、第１の輝度レベル以下の第１の範囲、第１の輝度レベルより高く第２の輝度レベルより低い第２の範囲、第２の輝度レベル以上の第３の範囲を有し、第１の範囲において、所定の第１のゲイン値と該ルックアップテーブルに基き、第２の範囲において、第１のゲイン値と所定の第２のゲイン値と該ルックアップテーブルに基き、第３の範囲において、第２のゲイン値と該ルックアップテーブルに基いて算出された第１の補正データを該ルックアップテーブルに設定し、ルックアップテーブルは事前に設定された第２の補正データを有し、第２の補正データが設定されたルックアップテーブルの入力値の採り得る最大値に対する出力値が、所定の出力値より小さく、かつ、第２のゲイン値が、所定のゲイン値より大きい場合に設定され、第２の補正データが設定されたルックアップテーブルの入力値の採り得る最大値よりも大きい入力値に対応するルックアップテーブル拡張部を備える、ものである。
【００１５】
また、本発明の画像表示装置において、ルックアップテーブルの入力値及びルックアップテーブル拡張部の入力値をｘとし、第２の補正データが設定されたルックアップテーブルの出力値をｙ＝Ｆ（ｘ）とし、ルックアップテーブル拡張部の出力値をＨ（ｘ）とし、第１の補正データが設定されたルックアップテーブルの出力値をｙ＝Ｇ（ｘ）として、ｙ＝Ｇ（ｘ）が、
（１）Ｈｉ＜ｘの範囲において、
（Ａ）１＜ＧａｉｎＨの場合には、
（Ａ−１）Ｆ（ＭＡＸｉ）＜ＭＡＸｏであれば、
（ｉ）ＧａｉｎＨ≦Ｑ／ＭＡＸｉのとき、
（ｉ−１）０≦ＧａｉｎＨ×ｘ≦ＭＡＸｉとなるｘの範囲において、
ｙ＝Ｇ（ｘ）＝Ｆ（ＧａｉｎＨ×ｘ）、
（ｉ―２）ＭＡＸｉ＜ＧａｉｎＨ×ｘ≦Ｑとなるｘの範囲において、
ｙ＝Ｇ（ｘ）＝Ｈ（ＧａｉｎＨ×ｘ）、
（ｉｉ）Ｑ／ＭＡＸｉ＜ＧａｉｎＨのとき、
（ｉｉ―１）０＜ｃ×ｘ＋ｄ≦ＭＡＸｉとなるｘの範囲において、
ｙ＝Ｇ（ｘ）＝Ｆ（ｃ×ｘ＋ｄ）、
（ｉｉ−２）ＭＡＸｉ＜ｃ×ｘ＋ｄ≦Ｑとなるｘの範囲において、
ｙ＝Ｇ（ｘ）＝Ｈ（ｃ×ｘ＋ｄ）、
（但し、Ｈｉｒｅｆ：第２の輝度レベル
ＧａｉｎＨ：第２のゲイン値
ｃ＝（Ｑ−Ｈｏｒｅｆ）／（ＭＡＸｉ−Ｈｉｒｅｆ）
ｄ＝Ｈｏｒｅｆ−Ｈｉｒｅｆ×（Ｑ−Ｈｏｒｅｆ）／（ＭＡＸｉ−Ｈｉｒｅｆ）
Ｈｏｒｅｆ＝Ｈｉｒｅｆ×ＧａｉｎＨ
ＭＡＸｉ：Ｆ（ｘ）、Ｇ（ｘ）における入力値ｘの採り得る最大値
ＭＡＸｏ：Ｆ（ｘ）、Ｇ（ｘ）の取り得る最大値
Ｑ：Ｈ（ｘ）における入力値ｘの採り得る最大値）
の計算式に基いて算出される、ものが望ましい。
【００１６】
また、本発明の画像表示装置において、ｙ＝Ｇ（ｘ）が、
（１）Ｈｉ＜ｘの範囲において、
（Ａ）１＜ＧａｉｎＨの場合には、
（Ａ−２）Ｆ（ＭＡＸｉ）＝ＭＡＸｏであれば、
ｙ＝Ｇ（ｘ）＝Ｆ（ａ１×ｘ＋ｂ１）、
（但し、ａ１＝（ＭＡＸｏ−Ｈｏｒｅｆ）／（ＭＡＸｉ−Ｈｉｒｅｆ）
ｂ１＝Ｈｏｒｅｆ−Ｈｉｒｅｆ×（ＭＡＸｏ−Ｈｏｒｅｆ）／（ＭＡＸｉ−Ｈｉｒｅｆ）
の計算式に基いて算出される、ものが望ましい。
【００１７】
また、本発明の画像表示装置において、ｙ＝Ｇ（ｘ）が、
（１）Ｈｉ＜ｘの範囲において、
（Ｂ）ＧａｉｎＨ≦１の場合には、
ｙ＝Ｇ（ｘ）＝Ｆ（ＧａｉｎＨ×ｘ）、
（２）ｘ≦Ｌｉの範囲において、
ｙ＝Ｇ（ｘ）＝Ｆ（ＧａｉｎＬ×ｘ）、
（３）Ｌｉ＜ｘ≦Ｈｉの範囲において、
ｙ＝Ｇ（ｘ）＝Ｆ（（α×ＧａｉｎＨ＋（１−α）×ＧａｉｎＬ）×ｘ）、
（但し、Ｌｉｒｅｆ：第１の輝度レベル
ＧａｉｎＬ：第１のゲイン値）
α＝（ｘ−Ｌｉｒｅｆ）／（Ｈｉｒｅｆ−Ｌｉｒｅｆ）：補間係数
の計算式に基いて算出される、ものが望ましい。
【００１８】
また、本発明の画像表示装置は、画像データの入力値にゲイン又はオフセットを与える入力値調整手段と、入力値調整手段によりゲイン又はオフセットを与えた画像データの入力値を補正するための補正データのテーブルであって、補正前の値であるＬＵＴ入力値とそのＬＵＴ入力値に対する補正後の値であるＬＵＴ出力値との関係を示すテーブルであるＬＵＴと、ＬＵＴの補正データに基いて補正した画像データの入力値による画像を表示するディスプレイと、ディスプレイに表示される調整用画像の色バランスが所定の色バランスとなるときの、入力値調整手段により調整用画像の画像データの入力値に与えられるゲイン又はオフセットの値である調整値を、適合時調整値とし、この適合時調整値を取得する適合時調整値取得手段と、適合時調整値取得手段により取得した適合時調整値を正規化する適合時調整値正規化手段と、調整用画像の画像データの入力値を正規化する調整用入力値正規化手段と、ＬＵＴのＬＵＴ入力値の取り得る最大値より大きい値である拡張部入力値とその拡張部入力値に対する補正後の値である拡張部出力値との関係を示すテーブルであるＬＵＴ拡張部を設定するＬＵＴ拡張部設定手段と、適合時調整値正規化手段により正規化した適合時調整値、調整用入力値正規化手段により正規化した調整用画像の画像データの入力値、ＬＵＴの補正データ、及びＬＵＴ拡張部設定手段により設定したＬＵＴ拡張部の補正データに基いて、ＬＵＴの補正データを計算するＬＵＴ計算手段と、を備え、ＬＵＴ拡張部設定手段は、ＬＵＴのＬＵＴ入力値の採り得る最大値に対するＬＵＴ出力値が、ＬＵＴのＬＵＴ出力値の採り得る最大値に達しておらず、かつ、適合時調整値取得手段により取得した適合時調整値が、入力値調整手段により調整用画像の画像データの入力値に与えられる調整値の初期値である基準調整値よりも大きい場合に、ＬＵＴ拡張部を設定する、ものである。適合時調整値を正規化するとは、適合時調整値を基準調整値（調整用画像の画像データの入力値に与えられる調整値の初期値）で除算することであり、正規化した適合時調整値とは、適合時調整値を基準調整値で除算した値である。調整用画像の画像データの入力値を正規化するとは、調整用画像の画像データの入力値に基準調整値を乗算することであり、正規化した調整用画像の画像データの入力値とは、調整用画像の画像データの入力値に基準調整値を乗算した値である。
【００１９】
また、本発明の画像表示装置において、ＬＵＴのＬＵＴ入力値及びＬＵＴ拡張部の拡張部入力値をｘとし、ＬＵＴの計算前のＬＵＴ出力値をｙ＝Ｆ（ｘ）とし、ＬＵＴ拡張部の拡張部出力値をＨ（ｘ）とし、ＬＵＴの計算後のＬＵＴ出力値をｙ＝Ｇ（ｘ）として、ＬＵＴの計算後のＬＵＴ出力値ｙ＝Ｇ（ｘ）が、
（１）ｘ≦Ｌｉｎの範囲において、
ｙ＝Ｇ（ｘ）＝Ｆ（ＧａｉｎＬｎ×ｘ）、
（２）Ｌｉｎ＜ｘ≦Ｈｉｎの範囲において、
ｙ＝Ｇ（ｘ）＝Ｆ（（αｎ×ＧａｉｎＨｎ＋（１−αｎ）×ＧａｉｎＬｎ）×ｘ）、
（３）Ｈｉｎ＜ｘの範囲において、
（Ａ）ＧａｉｎＨｎ≦１の場合には、
ｙ＝Ｇ（ｘ）＝Ｆ（ＧａｉｎＨｎ×ｘ）、
（Ｂ）１＜ＧａｉｎＨｎの場合には、
（Ｂ−１）Ｆ（ＭＡＸｉ）＝ＭＡＸｏであれば、
（ＬＵＴ拡張部を設定していなければ）
ｙ＝Ｇ（ｘ）＝Ｆ（ａ１ｎ×ｘ＋ｂ１ｎ）、
（Ｂ−２）Ｆ（ＭＡＸｉ）＜ＭＡＸｏであれば、
（ＬＵＴ拡張部を設定していれば）
（ｉ）ＧａｉｎＨｎ≦Ｑ／ＭＡＸｉのとき、
（ｉ−１）０≦ＧａｉｎＨｎ×ｘ≦ＭＡＸｉとなるｘの範囲において、
ｙ＝Ｇ（ｘ）＝Ｆ（ＧａｉｎＨｎ×ｘ）、
（ｉ―２）ＭＡＸｉ＜ＧａｉｎＨｎ×ｘ≦Ｑとなるｘの範囲において、
ｙ＝Ｇ（ｘ）＝Ｈ（ＧａｉｎＨｎ×ｘ）、
（ｉｉ）Ｑ／ＭＡＸｉ＜ＧａｉｎＨｎのとき、
（ｉｉ―１）０＜ｃｎ×ｘ＋ｄｎ≦ＭＡＸｉとなるｘの範囲において、
ｙ＝Ｇ（ｘ）＝Ｆ（ｃｎ×ｘ＋ｄｎ）、
（ｉｉ−２）ＭＡＸｉ＜ｃｎ×ｘ＋ｄｎ≦Ｑとなるｘの範囲において、
ｙ＝Ｇ（ｘ）＝Ｈ（ｃｎ×ｘ＋ｄｎ）、
（但し、Ｇａｉｎｒｅｆ：画像データの入力値に与えられるゲインの値（調整値）の初期値
（基準調整値）
Ｌｉｒｅｆ：第１の調整用画像の画像データの入力値
Ｈｉｒｅｆ：第２の調整用画像の画像データの入力値
（Ｌｉｒｅｆ＜Ｈｉｒｅｆ）
ＧａｉｎＬ：第１の調整用画像の色バランスが所定の色バランスとなるときの、
Ｌｉｒｅｆに与えられるゲインの値（適合時調整値）
ＧａｉｎＨ：第２の調整用画像の色バランスが所定の色バランスとなるときの、
Ｈｉｒｅｆに与えられるゲインの値（適合時調整値）
ＧａｉｎＬｎ＝ＧａｉｎＬ／Ｇａｉｎｒｅｆ：ＧａｉｎＬを正規化した値
ＧａｉｎＨｎ＝ＧａｉｎＨ／Ｇａｉｎｒｅｆ：ＧａｉｎＨを正規化した値
Ｌｉｎ＝Ｌｉｒｅｆ×Ｇａｉｎｒｅｆ：Ｌｉｒｅｆを正規化した値
Ｈｉｎ＝Ｈｉｒｅｆ×Ｇａｉｎｒｅｆ：Ｈｉｒｅｆを正規化した値
αｎ＝（ｘ−Ｌｉｎ）／（Ｈｉｎ−Ｌｉｎ）：補間係数
ａ１ｎ＝（ＭＡＸｏ−Ｈｏｎ）／（ＭＡＸｉ−Ｈｉｎ）
ｂ１ｎ＝Ｈｏｎ−Ｈｉｎ×（ＭＡＸｏ−Ｈｏｎ）／（ＭＡＸｉ−Ｈｉｎ）
ｃｎ＝（Ｑ−Ｈｏｎ）／（ＭＡＸｉ−Ｈｉｎ）
ｄｎ＝Ｈｏｎ−Ｈｉｎ×（Ｑ−Ｈｏｎ）／（ＭＡＸｉ−Ｈｉｎ）
Ｈｏｎ＝Ｈｉｎ×ＧａｉｎＨｎ
ＭＡＸｉ：Ｆ（ｘ）、Ｇ（ｘ）におけるＬＵＴ入力値ｘの採り得る最大値
ＭＡＸｏ：Ｆ（ｘ）、Ｇ（ｘ）の取り得る最大値
Ｑ：Ｈ（ｘ）における拡張部入力値ｘの採り得る最大値）
の計算式に基いて算出される、ものが望ましい。
【発明の効果】
【００２０】
本発明（請求項７及び請求項８の発明）によれば、適合時調整値（調整用画像の色バランスが所定の色バランスとなるときの、調整用画像の画像データの入力値に与えられるゲイン又はオフセットの値）を正規化した値、及び調整用画像の画像データの入力値を正規化した値に基いて、ＬＵＴの補正データが計算される。これにより、様々な色度特性（ノーマルタイプや、クールタイプ、ウォームタイプといった、様々なタイプの所望の色度特性）に合わせた適切なホワイトバランス・γ調整を実現することができる。
【００２１】
また、本発明（請求項１乃至請求項８の発明）によれば、ＬＵＴ拡張部の補正データに基いて、ＬＵＴの補正データが計算される。これにより、ディスプレイの最大輝度ポテンシャルを有効活用しつつ高階調に対して適切な色度補正を可能とする適切なホワイトバランス・γ調整を実現することができる。
【図面の簡単な説明】
【００２２】
【図１】本発明の第１の実施形態に係る画像表示装置の概略構成を示す電気的ブロック構成図。
【図２】同画像表示装置の画像処理部の構成を示す電気的ブロック構成図。
【図３】同画像表示装置のＬＵＴの補正データの例を示す図。
【図４】同画像表示装置のＬＵＴ調整方法を示すフローチャート。
【図５】同画像表示装置のＬＵＴ拡張部の補正データの例を示す図。
【図６】同画像表示装置のＬＵＴの補正データを計算するときの仮想的な入出力テーブルを示す図。
【図７】同画像表示装置のＬＵＴの計算後の補正データの例を示す図。
【図８】本発明の第２の実施形態に係る画像表示装置の概略構成を示す電気的ブロック構成図。
【図９】本発明の第３の実施形態に係るＬＵＴ調整方法を示すフローチャート。
【図１０】本発明の第４の実施形態に係るＬＵＴ調整方法を示すフローチャート。
【発明を実施するための形態】
【００２３】
以下、本発明を具体化した実施形態による画像表示装置、及びＬＵＴ調整方法について図面を参照して説明する。
＜第１の実施形態＞
まず、第１の実施形態による画像表示装置、及びＬＵＴ調整方法について説明する。図１は、第１の実施形態による画像表示装置の構成を示す。本実施形態では、画像表示装置１は、テレビジョン受信装置であり、テレビジョン放送局から放送されるテレビジョン信号を受信して、テレビジョン信号に基く画像データによる画像を表示すると共に、テレビジョン信号に基く音声データによる音声を出力する装置である。
【００２４】
この画像表示装置１は、表示画像の色度を補正するための補正データのテーブルであるＬＵＴを備えており、テレビジョン信号に基く画像データによる画像を、ＬＵＴの補正データに基いて色度を補正したうえで表示するようになっている。
【００２５】
また、この画像表示装置１は、表示画像の色度特性を調整するホワイトバランス・γ調整を行う機能を有している。本発明では、ホワイトバランス・γ調整は、ＬＵＴの補正データを調整する（計算して書換える）ことにより行われる。
【００２６】
ホワイトバランス・γ調整は、外部装置である調整用画像供給装置６０、測定装置７０、及び調整用リモコン８０を用いて行われる。調整用画像供給装置６０は、ホワイトバランス・γ調整を行う（ＬＵＴの補正データを計算する）ために用いる調整用画像の画像データを出力する。測定装置７０は、測定対象の画像の色度を測定して、その色度測定値を出力する。調整用リモコン８０は、ホワイトバランス・γ調整を行うときの各種動作を指示するために調整作業者（以下、オペレータという）に操作され、その操作内容を示す操作信号を赤外線によって送信する。
【００２７】
画像表示装置１は、調整用画像入力部２と、測定値入力部３と、チューナ４と、画像処理部５と、ディスプレイである液晶パネル６と、音声処理部７と、スピーカ８と、リモコン９と、リモコン受信部１０と、画像表示装置１の動作を制御するマイクロコンピュータ１１等を備える。
【００２８】
調整用画像入力部２は、ホワイトバランス・γ調整を行うときに利用され、調整用画像供給装置６０が接続されて、調整用画像供給装置６０から出力される調整用画像の画像データが入力される。測定値入力部３は、ホワイトバランス・γ調整を行うときに利用され、測定装置７０が接続されて、測定装置７０から出力される色度測定値が入力される。
【００２９】
チューナ４は、マイクロコンピュータ１１による制御のもと、テレビジョン放送局から放送されるテレビジョン信号を受信し、そのテレビジョン信号から、テレビジョン信号に基く画像データ、及びテレビジョン信号に基く音声データを生成する。
【００３０】
画像処理部５は、マイクロコンピュータ１１による制御のもと、調整用画像入力部２から入力された画像データ又はチューナ４により生成された画像データが選択的に入力される。そして、画像処理部５は、入力された画像データに対して各種の画像データ処理を行い、その処理後の画像データを液晶パネル６に供給する。液晶パネル６は、画像処理部５から供給された画像データによるカラー画像を表示する。
【００３１】
音声処理部７は、チューナ４により生成された音声データに対して各種の音声データ処理を行い、その処理後の音声データをスピーカ８に供給する。スピーカ８は、音声処理部７から供給された音声データによる音声を出力する。
【００３２】
リモコン９は、画像表示装置１の各種動作を指示するためにユーザに操作され、その操作内容を示す操作信号を赤外線によって送信する。リモコン受信部１０は、リモコン９から送信される操作信号を受信すると、受信した操作信号に対応する（すなわち、リモコン９の操作内容を示す）リモコン受信信号を出力する。また、リモコン受信部１０は、調整用リモコン８０から送信される操作信号を受信すると、受信した操作信号に対応する（すなわち、調整用リモコン８０の操作内容を示す）リモコン受信信号を出力する。
【００３３】
マイクロコンピュータ１１は、リモコン受信部１０から出力されるリモコン受信信号に基いて、リモコン９及び調整用リモコン８０の操作内容を判断して、画像表示装置１の各種動作を制御する。マイクロコンピュータ１１は、画像表示装置１の動作を制御するためのプログラムや各種データを記憶しており、それらプログラムや各種データに基いて、画像表示装置１の各種動作を制御する。
【００３４】
図２は、画像処理部５の電気的ブロック構成を示す。画像処理部５は、ゲイン調整部（入力値調整手段）３１Ｒ、３１Ｇ、３１Ｂと、入力値補正部３２Ｒ、３２Ｇ、３２Ｂとを備える。また、画像処理部５は、不図示の各種データ処理部を備えている。
【００３５】
画像処理部５に入力された画像データは、不図示の各種データ処理部により各種画像データ処理が施され、入力された画像データの入力値ＩｎＲ、ＩｎＧ、ＩｎＢがゲイン調整部３１Ｒ、３１Ｇ、３１Ｂに入力される。入力値ＩｎＲは、画像データの赤の色の輝度レベルを示す入力値であり、入力値ＩｎＧは、画像データの緑の色の輝度レベルを示す入力値であり、入力値ＩｎＢは、画像データの青の色の輝度レベルを示す入力値である。入力値ＩｎＲは、ゲイン調整部３１Ｒに入力され、入力値ＩｎＧは、ゲイン調整部３１Ｇに入力され、入力値ＩｎＢは、ゲイン調整部３１Ｂに入力される。
【００３６】
ゲイン調整部３１Ｒ、３１Ｇ、３１Ｂは、画像データにおける赤、緑、青の各色の輝度レベルを示す入力値ＩｎＲ、ＩｎＧ、ＩｎＢにゲインを与えるものである。ゲイン調整部３１Ｒは、乗算回路３３Ｒと、ゲイン設定部３４Ｒとを有し、ゲイン調整部３１Ｇは、乗算回路３３Ｇと、ゲイン設定部３４Ｇとを有し、ゲイン調整部３１Ｂは、乗算回路３３Ｂと、ゲイン設定部３４Ｂとを有する。
【００３７】
ゲイン調整部３１Ｒは、乗算回路３３Ｒにより、赤色の輝度レベルを示す入力値ＩｎＲとゲイン設定部３４Ｒに設定されているゲインの値とを乗算することによって、赤色の輝度レベルを示す入力値ＩｎＲにゲインを与える。ゲイン調整部３１Ｇは、乗算回路３３Ｇにより、緑色の輝度レベルを示す入力値ＩｎＧとゲイン設定部３４Ｇに設定されているゲインの値とを乗算することによって、緑色の輝度レベルを示す入力値ＩｎＧにゲインを与える。ゲイン調整部３１Ｂは、乗算回路３３Ｂにより、青色の輝度レベルを示す入力値ＩｎＢとゲイン設定部３４Ｂに設定されているゲインの値とを乗算することによって、青色の輝度レベルを示す入力値ＩｎＢにゲインを与える。
【００３８】
ゲイン調整部３１Ｒ、３１Ｇ、３１Ｂによりゲインが与えられた画像データの入力値ＩｎＲ’、ＩｎＧ’、ＩｎＢ’（ゲイン調整部３１Ｒ、３１Ｇ、３１Ｂの出力値）は、入力値補正部３２Ｒ、３２Ｇ、３２Ｂに入力される。ＩｎＲ’、ＩｎＧ’、ＩｎＢ’は、ゲイン設定部３４Ｒ、３４Ｇ、３４Ｂにより与えられる（ゲイン設定部３４Ｒ、３４Ｇ、３４Ｂに設定されている）ゲインの値をＧＲ、ＧＧ、ＧＢとすると、ＩｎＲ’＝ＩｎＲ×ＧＲ、ＩｎＧ’＝ＩｎＧ×ＧＧ、ＩｎＢ’＝ＩｎＢ×ＧＢである。
【００３９】
入力値補正部３２Ｒ、３２Ｇ、３２Ｂは、液晶パネル６に表示する画像の色バランス（色度）を補正するためのものである。入力値補正部３２Ｒは、ＬＵＴ３５Ｒを有し、入力値補正部３２Ｇは、ＬＵＴ３５Ｇを有し、入力値補正部３２Ｂは、ＬＵＴ３５Ｂを有する。
【００４０】
ＬＵＴ３５Ｒ、３５Ｇ、３５Ｂは、液晶パネル６に表示する画像の色バランスを補正するための補正データのテーブルである。すなわち、ＬＵＴ３５Ｒ、３５Ｇ、３５Ｂは、ゲイン調整部３１Ｒ、３１Ｇ、３１Ｂによりゲインを与えた画像データの入力値ＩｎＲ’、ＩｎＧ’、ＩｎＢ’を補正するための補正データのテーブルであって、補正前の値であるＬＵＴ入力値とそのＬＵＴ入力値に対する補正後の値であるＬＵＴ出力値との関係を示すテーブルである。
【００４１】
ＬＵＴ３５Ｒ、３５Ｇ、３５Ｂの補正データは、は、赤、緑、青の各色の補正前の輝度レベルを示すＬＵＴ入力値と、ＬＵＴ入力値に対して補正して出力すべき輝度レベルを示すＬＵＴ入力値との関係を示すデータである。すなわち、ＬＵＴ３５Ｒの補正データは、赤色の補正前の輝度レベルを示すＬＵＴ入力値ｘＲと、ＬＵＴ入力値ｘＲに対して補正して出力すべき赤色の輝度レベルを示すＬＵＴ出力値ｙＲ＝ＦＲ（ｘＲ）の関係を示すデータである。また、ＬＵＴ３５Ｇの補正データは、緑色の補正前の輝度レベルを示すＬＵＴ入力値ｘＧと、ＬＵＴ入力値ｘＧに対して補正して出力すべき緑色の輝度レベルを示すＬＵＴ出力値ｙＧ＝ＦＧ（ｘＧ）との関係を示すデータである。また、ＬＵＴ３５Ｂの補正データは、青色の補正前の輝度レベルを示すＬＵＴ入力値ｘＢと、ＬＵＴ入力値ｘＢに対して補正して出力すべき青色の輝度レベルを示すＬＵＴ出力値ｙＢ＝ＦＢ（ｘＢ）との関係を示すデータである。
【００４２】
図３は、ＬＵＴ３５Ｒの補正データ、ＬＵＴ３５Ｇの補正データ、ＬＵＴ３５Ｂの補正データの例を示す。ＭＡＸｉＲ、ＭＡＸｉＧ、ＭＡＸｉＢは、ＬＵＴ入力値ｘＲ、ｘＧ、ｘＢの採り得る（入力可能な）最大値であり、ＭＡＸｏＲ、ＭＡＸｏＧ、ＭＡＸｏＢは、ＬＵＴ出力値ＦＲ（ｘＲ）、ＦＧ（ｘＧ）、ＦＢ（ｘＢ）の採り得る（出力可能な）最大値である。図示の例では、ｘＲ＝ＭＡＸｉＲに対するＦＲ（ｘＲ）の値ＦＲ（ＭＡＸｉＲ）は、ＭＡＸｏＲよりも小さい値となっている。また、ｘＧ＝ＭＡＸｉＧに対するＦＧ（ｘＧ）の値ＦＧ（ＭＡＸｉＧ）は、ＭＡＸｏＧよりも小さい値となっている。また、ｘＢ＝ＭＡＸｉＢに対するＦＢ（ｘＢ）の値ＦＢ（ＭＡＸｉＢ）は、ＭＡＸｏＢとなっている。
【００４３】
入力値補正部３２Ｒ、３２Ｇ、３２Ｂは、入力値ＩｎＲ’、ＩｎＧ’、ＩｎＢ’をＬＵＴ３５Ｒ、３５Ｇ、３５Ｂの補正データに基いて補正する。すなわち、入力値補正部３２Ｒは、ＬＵＴ３５Ｒを参照し、入力値ＩｎＲ’に等しいＬＵＴ入力値ｘＲに対応するＬＵＴ出力値ｙＲをＯｕｔＲとして出力する。また、入力値補正部３２Ｇは、ＬＵＴ３５Ｇを参照し、入力値ＩｎＧ’に等しいＬＵＴ入力値ｘＧに対応するＬＵＴ出力値ｙＧをＯｕｔＧとして出力する。また、入力値補正部３２Ｂは、ＬＵＴ３５Ｂを参照し、入力値ＩｎＢ’に等しいＬＵＴ入力値ｘＢに対応するＬＵＴ出力値ｙＢをＯｕｔＢとして出力する。
【００４４】
入力値補正部３２Ｒ、３２Ｇ、３２ＢによりＬＵＴ３５Ｒ、３５Ｇ、３５Ｂの補正データに基いて補正した画像データの入力値ＯｕｔＲ、ＯｕｔＧ、ＯｕｔＢ（入力値補正部３２Ｒ、３２Ｇ、３２Ｂからの出力値）は、液晶パネル６に供給される。ＯｕｔＲ、ＯｕｔＧ、ＯｕｔＢは、ＯｕｔＲ＝ＦＲ（ＩｎＲ’）＝ＦＲ（ＩｎＲ×ＧＲ）、ＯｕｔＧ＝ＦＧ（ＩｎＧ’）＝ＦＧ（ＩｎＧ×ＧＧ）、ＯｕｔＢ＝ＦＢ（ＩｎＢ’）＝ＦＢ（ＩｎＢ×ＧＢ）である。液晶パネル６は、これらＬＵＴ３５Ｒ、３５Ｇ、３５Ｂの補正データに基いて補正した画像データの入力値ＯｕｔＲ、ＯｕｔＧ、ＯｕｔＢによる画像を表示する。
【００４５】
ゲイン設定部３４Ｒ、３４Ｇ、３４Ｂにおけるゲインの値ＧＲ、ＧＧ、ＧＢは、マイクロコンピュータ１１による制御のもと、設定される。マイクロコンピュータ１１は、調整用画像を表示させるとき以外は、ゲイン設定部３４Ｒ、３４Ｇ、３４Ｂにおけるゲインの値ＧＲ、ＧＧ、ＧＢを基準調整値ＧａｉｎＲｒｅｆ、ＧａｉｎＧｒｅｆ、ＧａｉｎＢｒｅｆに設定する。基準調整値ＧａｉｎＲｒｅｆ、ＧａｉｎＧｒｅｆ、ＧａｉｎＢｒｅｆとは、画像表示装置１の機種毎に所望の色度特性とすべく、画像表示装置１の機種毎に予め定められたゲインの値ＧＲ、ＧＧ、ＧＢの値であって、ゲインの値ＧＲ、ＧＧ、ＧＢの初期値である。
【００４６】
次に、ホワイトバランス・γ調整について説明する。本発明では、ホワイトバランス・γ調整は、ＬＵＴ３５Ｒ、３５Ｇ、３５Ｂの補正データを調整する（計算して書換える）ことによって行われる。
【００４７】
ＬＵＴ３５Ｒ、３５Ｇ、３５Ｂの補正データの調整は、ゲイン設定部３４Ｒ、３４Ｇ、３４Ｂにおけるゲインの基準調整値ＧａｉｎＲｒｅｆ、ＧａｉｎＧｒｅｆ、ＧａｉｎＢｒｅｆと、調整用画像（所定の輝度レベルの白色（無彩色）画像）の画像データの入力値ＩｎＲ、ＩｎＧ、ＩｎＢと、調整用画像の色バランスが所定の色バランスとなるように、調整用画像の画像データの入力値ＩｎＲ、ＩｎＧ、ＩｎＢに与えられるゲインの値ＧＲ、ＧＧ、ＧＢとに基いて、ＬＵＴ３５Ｒ、３５Ｇ、３５Ｂの補正データを計算して書換えることにより行われる。
【００４８】
本実施形態では、調整用画像として、輝度レベルの異なる２つの調整用画像を用いる。２つの異なる調整用画像のうち、輝度レベルの低い方の調整用画像をＬ調整用画像（第1の調整用画像）とし、輝度レベルの高い方の調整用画像をＨ調整用画像（第2の調整用画像）とする。Ｌ調整用画像の画像データの赤、緑、青の各色の輝度レベルを示す入力値ＩｎＲ、ＩｎＧ、ＩｎＢをＬｉＲｒｅｆ、ＬｉＧｒｅｆ、ＬｉＢｒｅｆとし、Ｈ調整用画像の画像データの赤、緑、青の各色の輝度レベルを示す入力値ＩｎＲ、ＩｎＧ、ＩｎＢをＨｉＲｒｅｆ、ＨｉＧｒｅｆ、ＨｉＢｒｅｆとする。ＬｉＲｒｅｆ＜ＨｉＲｒｅｆ、ＬｉＧｒｅｆ＜ＨｉＧｒｅｆ、ＬｉＢｒｅｆ＜ＨｉＢｒｅｆである。
【００４９】
そして、液晶パネル６に表示されるＬ調整用画像の色バランスが所定の色バランスとなるときの、Ｌ調整用画像の画像データの入力値ＬｉＲｒｅｆ、ＬｉＧｒｅｆ、ＬｉＢｒｅｆに与えられるゲインの値ＧＲ、ＧＧ、ＧＢをＬ適合時調整値ＧａｉｎＬＲ、ＧａｉｎＬＧ、ＧａｉｎＬＢとする。また、液晶パネル６に表示されるＨ調整用画像の色バランスが所定の色バランスとなるときの、Ｈ調整用画像の画像データの入力値ＨｉＲｒｅｆ、ＨｉＧｒｅｆ、ＨｉＢｒｅｆに与えられるゲインの値ＧＲ、ＧＧ、ＧＢをＨ適合時調整値ＧａｉｎＨＲ、ＧａｉｎＨＧ、ＧａｉｎＨＢとする。
【００５０】
また、本実施形態では、Ｌ適合時調整値ＧａｉｎＬＲ、ＧａｉｎＬＧ、ＧａｉｎＬＢを正規化した値をＧａｉｎＬＲｎ、ＧａｉｎＬＧｎ、ＧａｉｎＬＢｎとし、Ｈ適合時調整値ＧａｉｎＨＲ、ＧａｉｎＨＧ、ＧａｉｎＨＢを正規化した値をＧａｉｎＨＲｎ、ＧａｉｎＨＧｎ、ＧａｉｎＨＢｎとする。
【００５１】
Ｌ適合時調整値ＧａｉｎＬＲを正規化するとは、Ｌ適合時調整値ＧａｉｎＬＲを基準調整値ＧａｉｎＲｒｅｆで除算することである。すなわち、Ｌ適合時調整値ＧａｉｎＬＲを正規化した値ＧａｉｎＬＲｎ（正規化したＬ適合時調整値ＧａｉｎＬＲ）とは、Ｌ適合時調整値ＧａｉｎＬＲを基準調整値ＧａｉｎＲｒｅｆで除算した値であり、ＧａｉｎＬＲｎ＝ＧａｉｎＬＲ／ＧａｉｎＲｒｅｆである。Ｌ適合時調整値ＧａｉｎＬＧ、ＧａｉｎＬＢの正規化についても、同様であり、ＧａｉｎＬＧｎ＝ＧａｉｎＬＧ／ＧａｉｎＧｒｅｆ、ＧａｉｎＬＢｎ＝ＧａｉｎＬＢ／ＧａｉｎＢｒｅｆである。
【００５２】
また、Ｈ適合時調整値ＧａｉｎＨＲを正規化するとは、Ｈ適合時調整値ＧａｉｎＨＲを基準調整値ＧａｉｎＲｒｅｆで除算することである。すなわち、Ｈ適合時調整値ＧａｉｎＨＲを正規化した値ＧａｉｎＨＲｎ（正規化したＨ適合時調整値ＧａｉｎＨＲ）とは、Ｈ適合時調整値ＧａｉｎＨＲを基準調整値ＧａｉｎＲｒｅｆで除算した値であり、ＧａｉｎＨＲｎ＝ＧａｉｎＨＲ／ＧａｉｎＲｒｅｆである。Ｈ適合時調整値ＧａｉｎＨＧ、ＧａｉｎＨＢの正規化についても、同様であり、ＧａｉｎＨＧｎ＝ＧａｉｎＨＧ／ＧａｉｎＧｒｅｆ、ＧａｉｎＨＢｎ＝ＧａｉｎＨＢ／ＧａｉｎＢｒｅｆである。
【００５３】
また、本実施形態では、Ｌ調整用画像の画像データの入力値ＬｉＲｒｅｆ、ＬｉＧｒｅｆ、ＬｉＢｒｅｆを正規化した値をＬｉＲｎ、ＬｉＧｎ、ＬｉＢｎとし、Ｈ調整用画像の画像データの入力値ＨｉＲｒｅｆ、ＨｉＧｒｅｆ、ＨｉＢｒｅｆを正規化した値をＨｉＲｎ、ＨｉＧｎ、ＨｉＢｎとする。
【００５４】
Ｌ調整用画像の画像データの入力値ＬｉＲｒｅｆを正規化するとは、Ｌ調整用画像の画像データの入力値ＬｉＲｒｅｆに基準調整値ＧａｉｎＲｒｅｆを乗算することである。すなわち、Ｌ調整用画像の画像データの入力値ＬｉＲｒｅｆを正規化した値ＬｉＲｎ（正規化したＬ調整用画像の画像データの入力値ＬｉＲｒｅｆ）とは、Ｌ調整用画像の画像データの入力値ＬｉＲｒｅｆに基準調整値ＧａｉｎＲｒｅｆを乗算した値であり、ＬｉＲｎ＝ＬｉＲｒｅｆ×ＧａｉｎＲｒｅｆである。Ｌ調整用画像の画像データの入力値ＬｉＧｒｅｆ、ＬｉＢｒｅｆの正規化についても、同様であり、ＬｉＧｎ＝ＬｉＧｒｅｆ×ＧａｉｎＧｒｅｆ、ＬｉＢｎ＝ＬｉＢｒｅｆ×ＧａｉｎＢｒｅｆである。
【００５５】
また、Ｈ調整用画像の画像データの入力値ＨｉＲｒｅｆを正規化するとは、Ｈ調整用画像の画像データの入力値ＨｉＲｒｅｆに基準調整値ＧａｉｎＲｒｅｆを乗算することである。すなわち、Ｈ調整用画像の画像データの入力値ＨｉＲｒｅｆを正規化した値ＨｉＲｎ（正規化したＨ調整用画像の画像データの入力値ＨｉＲｒｅｆ）とは、Ｈ調整用画像の画像データの入力値ＨｉＲｒｅｆに基準調整値ＧａｉｎＲｒｅｆを乗算した値であり、ＨｉＲｎ＝ＨｉＲｒｅｆ×ＧａｉｎＲｒｅｆである。Ｈ調整用画像の画像データの入力値ＨｉＧｒｅｆ、ＨｉＢｒｅｆの正規化についても、同様であり、ＨｉＧｎ＝ＨｉＧｒｅｆ×ＧａｉｎＧｒｅｆ、ＨｉＢｎ＝ＨｉＢｒｅｆ×ＧａｉｎＢｒｅｆである。
【００５６】
また、本実施形態では、ＬＵＴ３５Ｒ、３５Ｇ、３５ＢのＬＵＴ出力値ＦＲ（ｘＲ）、ＦＧ（ｘＧ）、ＦＢ（ｘＢ）及びＨ適合時調整値ＧａｉｎＨＲ、ＧａｉｎＨＧ、ＧａｉｎＨＢについて、所定の条件を満たす場合に、ＬＵＴ拡張部Ｒ、ＬＵＴ拡張部Ｇ、ＬＵＴ拡張部Ｂを設定する。すなわち、ＬＵＴ入力値ｘＲの採り得る最大値ＭＡＸｉＲに対するＬＵＴ出力値ＦＲ（ＭＡＸｉＲ）が、ＬＵＴ出力値ＦＲ（ｘＲ）の採り得る最大値ＭＡＸｏＲよりも小さく、かつ、Ｈ適合時調整値ＧａｉｎＨＲが、基準調整値ＧａｉｎＲｒｅｆよりも大きい場合に、ＬＵＴ拡張部Ｒを設定する。また、ＬＵＴ入力値ｘＧの採り得る最大値ＭＡＸｉＧに対するＬＵＴ出力値ＦＧ（ＭＡＸｉＧ）が、ＬＵＴ出力値ＦＧ（ｘＧ）の採り得る最大値ＭＡＸｏＧよりも小さく、かつ、Ｈ適合時調整値ＧａｉｎＨＧが、基準調整値ＧａｉｎＧｒｅｆよりも大きい場合に、ＬＵＴ拡張部Ｇを設定する。また、ＬＵＴ入力値ｘＢの採り得る最大値ＭＡＸｉＢに対するＬＵＴ出力値ＦＢ（ＭＡＸｉＢ）が、ＬＵＴ出力値ＦＢ（ｘＢ）の採り得る最大値ＭＡＸｏＢよりも小さく、かつ、Ｈ適合時調整値ＧａｉｎＨＢが、基準調整値ＧａｉｎＢｒｅｆよりも大きい場合に、ＬＵＴ拡張部Ｂを設定する。
【００５７】
ＬＵＴ拡張部Ｒ、ＬＵＴ拡張部Ｇ、ＬＵＴ拡張部Ｂは、ＬＵＴ３５Ｒ、３５Ｇ、３５Ｂの補正データを計算するために用いるテーブルであって、ＬＵＴ入力値ｘＲ、ｘＧ、ｘＢの取り得る最大値より大きい値を拡張部入力値ｘＲ、ｘＧ、ｘＢとし、拡張部入力値ｘＲ、ｘＧ、ｘＢとその拡張部入力値ｘＲ、ｘＧ、ｘＢに対する補正後の値である拡張部出力値ｙＲ＝ＨＲ（ｘＲ）、ｙＧ＝ＨＧ（ｘＧ）、ｙＢ＝ＨＢ（ｘＢ）との関係を示すテーブルである。ＬＵＴ拡張部Ｒは、ＭＡＸｉＲでｙＲ＝ＦＲ（ｘＲ）に繋がり、拡張部入力値ｘＲが大きくなるにつれて拡張部出力値ｙＲ＝ＨＲ（ｘＲ）が大きくなる増加関数（例えば1次関数）で表されるテーブルである。ＬＵＴ拡張部Ｇ、ＬＵＴ拡張部Ｂも、同様である。
【００５８】
本実施形態では、これら（１）Ｌ適合時調整値ＧａｉｎＬＲ、ＧａｉｎＬＧ、ＧａｉｎＬＢを正規化した値ＧａｉｎＬＲｎ、ＧａｉｎＬＧｎ、ＧａｉｎＬＢｎ、Ｈ適合時調整値ＧａｉｎＨＲ、ＧａｉｎＨＧ、ＧａｉｎＨＢを正規化した値ＧａｉｎＨＲｎ、ＧａｉｎＨＧｎ、ＧａｉｎＨＢｎ、（２）Ｌ調整用画像の画像データの入力値ＬｉＲｒｅｆ、ＬｉＧｒｅｆ、ＬｉＢｒｅｆを正規化した値ＬｉＲｎ、ＬｉＧｎ、ＬｉＢｎ、Ｈ調整用画像の画像データの入力値ＨｉＲｒｅｆ、ＨｉＧｒｅｆ、ＨｉＢｒｅｆを正規化した値ＨｉＲｎ、ＨｉＧｎ、ＨｉＢｎ、（３）ＬＵＴ３５Ｒ、３５Ｇ、３５Ｂの補正データ、及び（４）ＬＵＴ拡張部Ｒ、ＬＵＴ拡張部Ｇ、ＬＵＴ拡張部Ｂの補正データに基いて、ＬＵＴ３５Ｒ、３５Ｇ、３５Ｂの補正データを計算する。
【００５９】
本実施形態では、ＬＵＴ３５Ｒの補正データの計算は、以下の計算式によって行われる。すなわち、ＬＵＴ３５ＲのＬＵＴ入力値及びＬＵＴ拡張部Ｒの拡張部入力値をｘＲとし、ＬＵＴ３５Ｒの計算前のＬＵＴ出力値をｙＲ＝ＦＲ（ｘＲ）とし、ＬＵＴ拡張部Ｒの拡張部出力値をＨＲ（ｘＲ）とし、ＬＵＴ３５Ｒの計算後のＬＵＴ出力値をｙＲ＝ＧＲ（ｘＲ）として、ＬＵＴ３５Ｒの計算後のＬＵＴ出力値ｙＲ＝ＧＲ（ｘＲ）を、
（１）ｘＲ≦ＬｉＲｎの範囲において、
ｙＲ＝ＧＲ（ｘＲ）＝ＦＲ（ＧａｉｎＬＲｎ×ｘＲ）、
（２）ＬｉＲｎ＜ｘＲ≦ＨｉＲｎの範囲において、
ｙＲ＝ＧＲ（ｘＲ）
＝ＦＲ（（αＲｎ×ＧａｉｎＨＲｎ＋（１−αＲｎ）×ＧａｉｎＬＲｎ）×ｘＲ）、
（３）ＨｉＲｎ＜ｘＲの範囲において、
（Ａ）ＧａｉｎＨＲｎ≦１の場合には、
ｙＲ＝ＧＲ（ｘＲ）＝ＦＲ（ＧａｉｎＨＲｎ×ｘＲ）、
（Ｂ）１＜ＧａｉｎＨＲｎの場合には、
（Ｂ−１）ＦＲ（ＭＡＸｉＲ）＝ＭＡＸｏＲであれば、
（ＬＵＴ拡張部３５Ｒを設定していなければ）
ｙＲ＝ＧＲ（ｘＲ）＝ＦＲ（ａ１Ｒｎ×ｘＲ＋ｂ１Ｒｎ）、
（Ｂ−２）ＦＲ（ＭＡＸｉＲ）＜ＭＡＸｏＲであれば、
（ＬＵＴ拡張部３５Ｒを設定していれば）
（ｉ）ＧａｉｎＨＲｎ≦ＱＲ／ＭＡＸｉＲのとき、
（ｉ−１）０≦ＧａｉｎＨＲｎ×ｘＲ≦ＭＡＸｉＲとなる
ｘＲの範囲において、
ｙＲ＝ＧＲ（ｘＲ）＝ＦＲ（ＧａｉｎＨＲｎ×ｘＲ）、
（ｉ―２）ＭＡＸｉＲ＜ＧａｉｎＨＲｎ×ｘＲ≦ＱＲとなる
ｘＲの範囲において、
ｙＲ＝ＧＲ（ｘＲ）＝ＨＲ（ＧａｉｎＨＲｎ×ｘＲ）、
（ｉｉ）ＱＲ／ＭＡＸｉＲ＜ＧａｉｎＨＲｎのとき、
（ｉｉ―１）０＜ｃＲｎ×ｘＲ＋ｄＲｎ≦ＭＡＸｉＲとなる
ｘＲの範囲において、
ｙＲ＝ＧＲ（ｘＲ）＝ＦＲ（ｃＲｎ×ｘＲ＋ｄＲｎ）、
（ｉｉ−２）ＭＡＸｉＲ＜ｃＲｎ×ｘＲ＋ｄＲｎ≦ＱＲとなる
ｘＲの範囲において、
ｙＲ＝ＧＲ（ｘＲ）＝ＨＲ（ｃＲｎ×ｘＲ＋ｄＲｎ）、
（但し、ＧａｉｎＲｒｅｆ：画像データの入力値に与えられるゲインの値（調整値）の
初期値（基準調整値）
ＬｉＲｒｅｆ：第1の調整用画像の画像データの入力値
ＨｉＲｒｅｆ：第2の調整用画像の画像データの入力値
（ＬｉＲｒｅｆ＜ＨｉＲｒｅｆ）
ＧａｉｎＬＲ：第1の調整用画像の色バランスが所定の色バランスとなるときの                        、ＬｉＲｒｅｆに与えられるゲインの値（適合時調整値）
ＧａｉｎＨＲ：第2の調整用画像の色バランスが所定の色バランスとなるときの
、ＨｉＲｒｅｆに与えられるゲインの値（適合時調整値）
ＧａｉｎＬＲｎ＝ＧａｉｎＬＲ／ＧａｉｎＲｒｅｆ：ＧａｉｎＬＲを正規化した値
ＧａｉｎＨＲｎ＝ＧａｉｎＨＲ／ＧａｉｎＲｒｅｆ：ＧａｉｎＨＲを正規化した値
ＬｉＲｎ＝ＬｉＲｒｅｆ×ＧａｉｎＲｒｅｆ：ＬｉＲｒｅｆを正規化した値
ＨｉＲｎ＝ＨｉＲｒｅｆ×ＧａｉｎＲｒｅｆ：ＨｉＲｒｅｆを正規化した値
αＲｎ＝（ｘＲ−ＬｉＲｎ）／（ＨｉＲｎ−ＬｉＲｎ）：補間係数
ａ１Ｒｎ＝（ＭＡＸｏＲ−ＨｏＲｎ）／（ＭＡＸｉＲ−ＨｉＲｎ）
ｂ１Ｒｎ＝ＨｏＲｎ−ＨｉＲｎ×（ＭＡＸｏＲ−ＨｏＲｎ）／（ＭＡＸｉＲ−ＨｉＲｎ）
ｃＲｎ＝（ＱＲ−ＨｏＲｎ）／（ＭＡＸｉＲ−ＨｉＲｎ）
ｄＲｎ＝ＨｏＲｎ−ＨｉＲｎ×（ＱＲ−ＨｏＲｎ）／（ＭＡＸｉＲ−ＨｉＲｎ）
ＨｏＲｎ＝ＨｉＲｎ×ＧａｉｎＨＲｎ
ＭＡＸｉＲ：ＦＲ（ｘＲ）、ＧＲ（ｘＲ）における
ＬＵＴ入力値ｘＲの採り得る最大値
ＭＡＸｏＲ：ＦＲ（ｘＲ）、ＧＲ（ｘＲ）の取り得る最大値
ＱＲ：ＨＲ（ｘＲ）における拡張部入力値ｘＲの採り得る最大値）
のように計算する。
【００６０】
また、ＬＵＴ３５Ｇの補正データの計算も、同様の計算式によって行われる。すなわち、ＬＵＴ３５ＧのＬＵＴ入力値及びＬＵＴ拡張部Ｇの拡張部入力値をｘＧとし、ＬＵＴ３５Ｇの計算前のＬＵＴ出力値をｙＧ＝ＦＧ（ｘＧ）とし、ＬＵＴ拡張部Ｇの拡張部出力値をＨＧ（ｘＧ）とし、ＬＵＴ３５Ｇの計算後のＬＵＴ出力値をｙＧ＝ＧＧ（ｘＧ）として、ＬＵＴ３５Ｇの計算後のＬＵＴ出力値ｙＧ＝ＧＧ（ｘＧ）を、同様の計算式（添え字「Ｒ」を「Ｇ」に置き換えた計算式）によって計算する。
【００６１】
また、ＬＵＴ３５Ｂの補正データの計算も、同様の計算式によって行われる。すなわち、ＬＵＴ３５ＢのＬＵＴ入力値及びＬＵＴ拡張部Ｂの拡張部入力値をｘＢとし、ＬＵＴ３５Ｂの計算前のＬＵＴ出力値をｙＢ＝ＦＢ（ｘＢ）とし、ＬＵＴ拡張部Ｂの拡張部出力値をＨＢ（ｘＢ）とし、ＬＵＴ３５Ｂの計算後のＬＵＴ出力値をｙＢ＝ＧＢ（ｘＢ）として、ＬＵＴ３５Ｇの計算後のＬＵＴ出力値ｙＢ＝ＧＢ（ｘＢ）を、同様の計算式（添え字「Ｒ」を「Ｂ」に置き換えた計算式）によって計算する。
【００６２】
図４は、ＬＵＴ調整方法（ＬＵＴ３５Ｒ、３５Ｇ、３５Ｂの補正データの調整方法）のフローチャートを示す。ＬＵＴ調整方法は、調整用画像表示ステップ（＃１）と、調整値調整ステップ（＃２）と、適合時調整値決定ステップ（＃３）と、適合時調整値正規化ステップ（＃４）と、調整用入力値正規化ステップ（＃５）と、ＬＵＴ拡張部設定ステップ（＃６）と、ＬＵＴ計算ステップ（＃７）とを備える。
【００６３】
ＬＵＴ３５Ｒ、３５Ｇ、３５Ｂの補正データの調整は、以下のようにして行われる。まず、オペレータが、調整用画像入力部２に調整用画像供給装置６０を接続すると共に、測定値入力部３に測定装置７０を接続する。
【００６４】
続いて、オペレータが、調整用画像供給装置６０からＬ調整用画像の画像データを出力するように操作する。これにより、Ｌ調整用画像の画像データが調整用画像入力部２から入力されて、そのＬ調整用画像の画像データにおける赤、緑、青の各色の輝度レベルを示す入力値ＬｉＲｒｅｆ、ＬｉＧｒｅｆ、ＬｉＢｒｅｆにゲイン調整部３１Ｒ、３１Ｇ、３１Ｂによりゲインが与えられる。さらに、このゲインが与えられた後の入力値ＬｏＲ（＝ＬｉＲｒｅｆ×ＧＲ）、ＬｏＧ（＝ＬｉＧｒｅｆ×ＧＧ）、ＬｏＢ（＝ＬｉＢｒｅｆ×ＧＢ）がＬＵＴ３５Ｒ、３５Ｇ、３５Ｂの補正データに基いて補正される。そして、この補正後の入力値ＯｕｔＲ（＝ＦＲ（ＬｉＲｒｅｆ×ＧＲ））、ＯｕｔＧ（＝ＦＧ（ＬｉＧｒｅｆ×ＧＧ））、ＯｕｔＢ（＝ＦＢ（ＬｉＢｒｅｆ×ＧＢ））によるＬ調整用画像が液晶パネル６に表示される（調整用画像表示ステップ）。
【００６５】
このとき、ゲイン調整部３１Ｒ、３１Ｇ、３１Ｂにより与えられるゲインの値ＧＲ、ＧＧ、ＧＢは、基準調整値ＧａｉｎＲｒｅｆ、ＧａｉｎＧｒｅｆ、ＧａｉｎＢｒｅｆである。このとき、マイクロコンピュータ１１は、Ｌ調整用画像の画像データの入力値ＬｉＲｒｅｆ、ＬｉＧｒｅｆ、ＬｉＢｒｅｆを取得する。
【００６６】
また、オペレータが、液晶パネル６に表示されたＬ調整用画像の色バランスを測定装置７０により測定する。これにより、測定装置７０により測定されたＬ調整用画像の色バランス測定値が測定値入力部３に入力される。
【００６７】
ここで、オペレータが、調整用リモコン８０を操作して、適合時調整値を決定する旨の指示をする。これにより、マイクロコンピュータ１１は、測定値入力部３から入力される色バランス測定値に基いて、その色バランス測定値が規定範囲内となるように、すなわち、液晶パネル６に表示されるＬ調整用画像の色バランスが所定の色バランスとなるように、ゲイン調整部３１Ｒ、３１Ｇ、３１Ｂにおけるゲインの値（Ｌ調整用画像の画像データの入力値ＬｉＲｒｅｆ、ＬｉＧｒｅｆ、ＬｉＢｒｅｆに与えるゲインの値）ＧＲ、ＧＧ、ＧＢを調整する（調整値調整ステップ）。
【００６８】
ゲイン調整部３１Ｒ、３１Ｇ、３１Ｂにおけるゲインの値ＧＲ、ＧＧ、ＧＢが調整されることにより、液晶パネル６に表示されるＬ調整用画像の色バランスが変化し、液晶パネル６に表示されるＬ調整用画像の色バランスに応じて、測定値入力部３に入力される色バランス測定値も変化する。
【００６９】
マイクロコンピュータ１１は、色バランス測定値が規定範囲内となるときのゲインの値ＧＲ、ＧＧ、ＧＢ、すなわち、液晶パネル６に表示されるＬ調整用画像の色バランスが所定の色バランスとなるときのゲインの値ＧＲ、ＧＧ、ＧＢをＬ適合時調整値ＧａｉｎＬＲ、ＧａｉｎＬＧ、ＧａｉｎＬＢとして決定する（適合時調整値決定ステップ）。
【００７０】
そして、マイクロコンピュータ１１は、このＬ適合時調整値ＧａｉｎＬＲ、ＧａｉｎＬＧ、ＧａｉｎＬＢを取得する。マイクロコンピュータ１１によって、適合時調整値取得手段が構成されている。
【００７１】
その後、マイクロコンピュータ１１は、ゲイン調整部３１Ｒ、３１Ｇ、３１Ｂにおけるゲインの値ＧＲ、ＧＧ、ＧＢを基準調整値ＧａｉｎＲｒｅｆ、ＧａｉｎＧｒｅｆ、ＧａｉｎＢｒｅｆに戻す。
【００７２】
続いて、オペレータが、調整用画像供給装置６０からＨ調整用画像の画像データを出力するように操作する。これにより、Ｈ調整用画像の画像データが調整用画像入力部２から入力されて、そのＨ調整用画像の画像データにおける赤、緑、青の各色の輝度レベルを示す入力値ＨｉＲｒｅｆ、ＨｉＧｒｅｆ、ＨｉＢｒｅｆにゲイン調整部３１Ｒ、３１Ｇ、３１Ｂによりゲインが与えられる。さらに、このゲインが与えられた後の入力値ＨｏＲ（＝ＨｉＲｒｅｆ×ＧＲ）、ＨｏＧ（＝ＨｉＧｒｅｆ×ＧＧ）、ＨｏＢ（＝ＨｉＢｒｅｆ×ＧＢ）がＬＵＴ３５Ｒ、３５Ｇ、３５Ｂの補正データに基いて補正される。そして、この補正後の入力値ＯｕｔＲ（＝ＦＲ（ＨｉＲｒｅｆ×ＧＲ））、ＯｕｔＧ（＝ＦＧ（ＨｉＧｒｅｆ×ＧＧ））、ＯｕｔＢ（＝ＦＢ（ＨｉＢｒｅｆ×ＧＢ））によるＨ調整用画像が液晶パネル６に表示される（調整用画像表示ステップ）。
【００７３】
このとき、ゲイン調整部３１Ｒ、３１Ｇ、３１Ｂにより与えられるゲインの値ＧＲ、ＧＧ、ＧＢは、基準調整値ＧａｉｎＲｒｅｆ、ＧａｉｎＧｒｅｆ、ＧａｉｎＢｒｅｆである。このとき、マイクロコンピュータ１１は、Ｈ調整用画像の画像データの入力値ＨｉＲｒｅｆ、ＨｉＧｒｅｆ、ＨｉＢｒｅｆを取得する。
【００７４】
また、オペレータが、液晶パネル６に表示されたＨ調整用画像の色バランスを測定装置７０により測定する。これにより、測定装置７０により測定されたＨ調整用画像の色バランス測定値が測定値入力部３に入力される。
【００７５】
ここで、オペレータが、調整用リモコン８０を操作して、適合時調整値を決定する旨の指示をする。これにより、マイクロコンピュータ１１は、測定値入力部３から入力される色バランス測定値に基いて、その色バランス測定値が規定範囲内となるように、すなわち、液晶パネル６に表示されるＨ調整用画像の色バランスが所定の色バランスとなるように、ゲイン調整部３１Ｒ、３１Ｇ、３１Ｂにおけるゲインの値（Ｈ調整用画像の画像データの入力値ＨｉＲｒｅｆ、ＨｉＧｒｅｆ、ＨｉＢｒｅｆに与えるゲインの値）ＧＲ、ＧＧ、ＧＢを調整する（調整値調整ステップ）。
【００７６】
ゲイン調整部３１Ｒ、３１Ｇ、３１Ｂにおけるゲインの値ＧＲ、ＧＧ、ＧＢが調整されることにより、液晶パネル６に表示されるＨ調整用画像の色バランスが変化し、液晶パネル６に表示されるＨ調整用画像の色バランスに応じて、測定値入力部３に入力される色バランス測定値も変化する。
【００７７】
マイクロコンピュータ１１は、色バランス測定値が規定範囲内となるときのゲインの値ＧＲ、ＧＧ、ＧＢ、すなわち、液晶パネル６に表示されるＨ調整用画像の色バランスが所定の色バランスとなるときのゲインの値ＧＲ、ＧＧ、ＧＢをＨ適合時調整値ＧａｉｎＨＲ、ＧａｉｎＨＧ、ＧａｉｎＨＢとして決定する（適合時調整値決定ステップ）。
【００７８】
そして、マイクロコンピュータ１１は、このＨ適合時調整値ＧａｉｎＬＲ、ＧａｉｎＬＧ、ＧａｉｎＬＢを取得する。マイクロコンピュータ１１によって、適合時調整値取得手段が構成されている。
【００７９】
その後、マイクロコンピュータ１１は、ゲイン調整部３１Ｒ、３１Ｇ、３１Ｂにおけるゲインの値ＧＲ、ＧＧ、ＧＢを基準調整値ＧａｉｎＲｒｅｆ、ＧａｉｎＧｒｅｆ、ＧａｉｎＢｒｅｆに戻す。
【００８０】
続いて、マイクロコンピュータ１１は、Ｌ適合時調整値ＧａｉｎＬＲ、ＧａｉｎＬＧ、ＧａｉｎＬＢ、Ｈ適合時調整値ＧａｉｎＬＲ、ＧａｉｎＬＧ、ＧａｉｎＬＢを正規化する（適合時調整値正規化ステップ）。すなわち、マイクロコンピュータ１１は、Ｌ適合時調整値ＧａｉｎＬＲを正規化した値ＧａｉｎＬＲｎ＝ＧａｉｎＬＲ／ＧａｉｎＲｒｅｆ、Ｌ適合時調整値ＧａｉｎＬＧを正規化した値ＧａｉｎＬＧｎ＝ＧａｉｎＬＧ／ＧａｉｎＧｒｅｆ、Ｌ適合時調整値ＧａｉｎＬＢを正規化した値ＧａｉｎＬＢｎ＝ＧａｉｎＬＢ／ＧａｉｎＢｒｅｆを算出する。また、マイクロコンピュータ１１は、Ｈ適合時調整値ＧａｉｎＨＲを正規化した値ＧａｉｎＨＲｎ＝ＧａｉｎＨＲ／ＧａｉｎＲｒｅｆ、Ｈ適合時調整値ＧａｉｎＨＧを正規化した値ＧａｉｎＨＧｎ＝ＧａｉｎＨＧ／ＧａｉｎＧｒｅｆ、Ｈ適合時調整値ＧａｉｎＨＢを正規化した値ＧａｉｎＨＢｎ＝ＧａｉｎＨＢ／ＧａｉｎＢｒｅｆを算出する。マイクロコンピュータ１１によって、適合時調整値正規化手段が構成されている。
【００８１】
続いて、マイクロコンピュータ１１は、Ｌ調整用画像の画像データの入力値ＬｉＲｒｅｆ、ＬｉＧｒｅｆ、ＬｉＢｒｅｆ、Ｈ調整用画像の画像データの入力値ＨｉＲｒｅｆ、ＨｉＧｒｅｆ、ＨｉＢｒｅｆを正規化する（調整用入力値正規化ステップ）。すなわち、マイクロコンピュータ１１は、入力値ＬｉＲｒｅｆを正規化した値ＬｉＲｎ＝ＬｉＲｒｅｆ×ＧａｉｎＲｒｅｆ、入力値ＬｉＧｒｅｆを正規化した値ＬｉＧｎ＝ＬｉＲｒｅｆ×ＧａｉｎＧｒｅｆ、入力値ＬｉＢｒｅｆを正規化した値ＬｉＢｎ＝ＬｉＲｒｅｆ×ＧａｉｎＢｒｅｆを算出する。また、マイクロコンピュータ１１は、入力値ＨｉＲｒｅｆを正規化した値ＨｉＲｎ＝ＨｉＲｒｅｆ×ＧａｉｎＲｒｅｆ、入力値ＨｉＧｒｅｆを正規化した値ＨｉＧｎ＝ＨｉＲｒｅｆ×ＧａｉｎＧｒｅｆ、入力値ＨｉＢｒｅｆを正規化した値ＨｉＢｎ＝ＨｉＲｒｅｆ×ＧａｉｎＢｒｅｆを算出する。マイクロコンピュータ１１によって、調整用入力値正規化手段が構成されている。
【００８２】
続いて、マイクロコンピュータ１１は、ＬＵＴ入力値ｘＲの採り得る最大値ＭＡＸｉＲに対するＬＵＴ出力値ＦＲ（ＭＡＸｉＲ）が、ＬＵＴ入力値ｘＲの採り得る最大値ＭＡＸｉＲよりも小さく、かつ、適合時調整値ＧａｉｎＨＲが基準調整値ＧａｉｎＲｒｅｆよりも大きければ、ＬＵＴ拡張部Ｒを設定する。また、マイクロコンピュータ１１は、ＬＵＴ入力値ｘＧの採り得る最大値ＭＡＸｉＧに対するＬＵＴ出力値ＦＧ（ＭＡＸｉＧ）が、ＬＵＴ入力値ｘＧの採り得る最大値ＭＡＸｉＧよりも小さく、かつ、適合時調整値ＧａｉｎＨＧが基準調整値ＧａｉｎＧｒｅｆよりも大きければ、ＬＵＴ拡張部Ｇを設定する。また、マイクロコンピュータ１１は、ＬＵＴ入力値ｘＢの採り得る最大値ＭＡＸｉＢに対するＬＵＴ出力値ＦＢ（ＭＡＸｉＢ）が、ＬＵＴ入力値ｘＢの採り得る最大値ＭＡＸｉＢよりも小さく、かつ、適合時調整値ＧａｉｎＨＢが基準調整値ＧａｉｎＢｒｅｆよりも大きければ、ＬＵＴ拡張部Ｂを設定する（ＬＵＴ拡張部設定ステップ）。マイクロコンピュータ１１によって、ＬＵＴ拡張部設定手段が構成されている。
【００８３】
そして、オペレータが、調整用リモコン８０を操作して、ＬＵＴ３５Ｒ、３５Ｇ、３５Ｂの補正データを調整する旨の指示をする。これにより、マイクロコンピュータ１１は、Ｌ適合時調整値ＧａｉｎＬＲを正規化した値ＧａｉｎＬＲｎ、Ｈ適合時調整値ＧａｉｎＨＲを正規化した値ＧａｉｎＨＲｎ、入力値ＬｉＲｒｅｆを正規化した値ＬｉＲｎ、入力値ＨｉＲｒｅｆを正規化した値ＨｉＲｎ、ＬＵＴ３５Ｒの補正データ、ＬＵＴ拡張部Ｒの補正データに基いて、ＬＵＴ３５Ｒの補正データを上述の計算式によって計算する。また、マイクロコンピュータ１１は、同様に、ＬＵＴ３５Ｇの補正データ、ＬＵＴ３５Ｂの補正データを上述の計算式によって計算する（ＬＵＴ計算ステップ）。マイクロコンピュータ１１によって、ＬＵＴ計算手段が構成されている。
【００８４】
そして、マイクロコンピュータ１１は、ＬＵＴ３５Ｒ、３５Ｇ、３５Ｂの補正データを、この計算した補正データに書換える。ＬＵＴ３５Ｒ、３５Ｇ、３５Ｂの補正データの調整は、このようにして行われる。
【００８５】
次に、ＬＵＴ３５Ｒ、３５Ｇ、３５Ｂの補正データの計算例を説明する。ＬＵＴ３５Ｒの補正データ、ＬＵＴ３５Ｇの補正データ、ＬＵＴ３５Ｂの補正データが、例えば、図３に示すものであったとする。すなわち、ＬＵＴ入力値ｘＲ、ｘＧ、ｘＢの採り得る（入力可能な）最大値ＭＡＸｉＲ、ＭＡＸｉＧ、ＭＡＸｉＢは、１０２３であり、ＬＵＴ出力値ＦＲ（ｘＲ）、ＦＧ（ｘＧ）、ＦＢ（ｘＢ）の採り得る（出力可能な）最大値ＭＡＸｏＲ、ＭＡＸｏＧ、ＭＡＸｏＢは、ＭＡＸｉＲ、ＭＡＸｉＧ、ＭＡＸｉＢと等しく、１０２３であるとする。そして、ｘＲ＝ＭＡＸｉＲに対するＦＲ（ｘＲ）の値ＦＲ（ＭＡＸｉＲ）は、ＭＡＸｏＲよりも小さい値となっており、ｘＧ＝ＭＡＸｉＧに対するＦＧ（ｘＧ）の値ＦＧ（ＭＡＸｉＧ）は、ＭＡＸｏＧよりも小さい値となっており、ｘＢ＝ＭＡＸｉＢに対するＦＢ（ｘＢ）の値ＦＢ（ＭＡＸｉＢ）は、ＭＡＸｏＢとなっているとする。
【００８６】
また、ゲイン調整部３１Ｒ、３１Ｇ、３１Ｂの基準調整値ＧａｉｎＲｒｅｆ、ＧａｉｎＧｒｅｆ、ＧａｉｎＢｒｅｆが、例えば、
ＧａｉｎＲｒｅｆ＝０．４８８３
ＧａｉｎＧｒｅｆ＝０．７３２４
ＧａｉｎＢｒｅｆ＝１．００００
であったとする。
【００８７】
ここで、Ｌ調整用画像の画像データの入力値ＬｉＲｒｅｆ、ＬｉＧｒｅｆ、ＬｉＢｒｅｆを、
ＬｉＲｒｅｆ＝３０４
ＬｉＧｒｅｆ＝３０４
ＬｉＢｒｅｆ＝３０４
として、Ｌ調整用画像を表示させたとする。
【００８８】
そして、Ｌ適合時調整値ＧａｉｎＬＲ、ＧａｉｎＬＧ、ＧａｉｎＬＢとして、
ＧａｉｎＬＲ＝０．２５３９
ＧａｉｎＬＧ＝０．４５８９
ＧａｉｎＬＢ＝０．６８７５
が得られたとする。
【００８９】
また、Ｈ調整用画像の画像データの入力値ＨｉＲｒｅｆ、ＨｉＧｒｅｆ、ＨｉＢｒｅｆを、
ＨｉＲｒｅｆ＝８１６
ＨｉＧｒｅｆ＝８１６
ＨｉＢｒｅｆ＝８１６
として、Ｈ調整用画像を表示させたとする。
【００９０】
そして、Ｈ適合時調整値ＧａｉｎＨＲ、ＧａｉｎＨＧ、ＧａｉｎＨＢとして、
ＧａｉｎＨＲ＝０．５２７３
ＧａｉｎＨＧ＝０．７３２４
ＧａｉｎＨＢ＝１．１９５３
が得られたとする。
【００９１】
すると、Ｌ適合時調整値ＧａｉｎＬＲ、ＧａｉｎＬＧ、ＧａｉｎＬＢを正規化した値ＧａｉｎＬＲｎ、ＧａｉｎＬＧｎ、ＧａｉｎＬＢｎは、
ＧａｉｎＬＲｎ＝０．５２００
ＧａｉｎＬＧｎ＝０．６２６６
ＧａｉｎＬＢｎ＝０．６８７５
となる。
【００９２】
また、Ｈ適合時調整値ＧａｉｎＨＲ、ＧａｉｎＨＧ、ＧａｉｎＨＢを正規化した値ＧａｉｎＨＲｎ、ＧａｉｎＨＧｎ、ＧａｉｎＨＢｎは、
ＧａｉｎＨＲｎ＝１．０７９９
ＧａｉｎＨＧｎ＝１．００００
ＧａｉｎＨＢｎ＝１．１９５３
となる。
【００９３】
また、Ｌ調整用画像の画像データの入力値ＬｉＲｒｅｆ、ＬｉＧｒｅｆ、ＬｉＢｒｅｆを正規化した値ＬｉＲｎ、ＬｉＧｎ、ＬｉＢｎは、
ＬｉＲｎ＝１４８
ＬｉＧｎ＝２２２
ＬｉＢｎ＝３０４
となる。
【００９４】
また、Ｈ調整用画像の画像データの入力値ＨｉＲｒｅｆ、ＨｉＧｒｅｆ、ＨｉＢｒｅｆを正規化した値ＨｉＲｎ、ＨｉＧｎ、ＨｉＢｎは、
ＨｉＲｎ＝３９８
ＨｉＧｎ＝５９７
ＨｉＢｎ＝８１６
となる。
【００９５】
この場合、ＬＵＴ３５ＲのＬＵＴ出力値ＦＲ（ｘＲ）及びＨ適合時調整値ＧａｉｎＨＲに着目すると、ＬＵＴ出力値ＦＲ（ＭＡＸｉＲ）は、ＭＡＸｏＲよりも小さく、Ｈ適合時調整値ＧａｉｎＨＲは、基準調整値ＧａｉｎＲｒｅｆよりも大きい。従って、ＬＵＴ拡張部Ｒを設定する。また、ＬＵＴ３５ＧのＬＵＴ出力値ＦＧ（ｘＧ）及びＨ適合時調整値ＧａｉｎＨＧに着目すると、ＬＵＴ出力値ＦＧ（ＭＡＸｉＧ）は、ＭＡＸｏＧよりも小さいが、Ｈ適合時調整値ＧａｉｎＨＧは、基準調整値ＧａｉｎＧｒｅｆよりも大きくない。従って、ＬＵＴ拡張部Ｇを設定しない。また、ＬＵＴ３５ＧのＬＵＴ出力値ＦＢ（ｘＢ）及びＨ適合時調整値ＧａｉｎＨＢに着目すると、Ｈ適合時調整値ＧａｉｎＨＢは、基準調整値ＧａｉｎＢｒｅｆよりも大きいが、ＬＵＴ出力値ＦＢ（ＭＡＸｉＢ）は、ＭＡＸｏＢよりも小さくない。従って、ＬＵＴ拡張部Ｂを設定しない。
【００９６】
図５は、ＬＵＴ拡張部Ｒの補正データの例を示す。ＬＵＴ拡張部Ｒは、ＭＡＸｉＲでｙＲ＝ＦＲ（ｘＲ）に繋がり、拡張部入力値ｘＲが大きくなるにつれて拡張部出力値ｙＲ＝ＨＲ（ｘＲ）が大きくなる増加関数で表されるテーブルである。本実施形態では、ＬＵＴ拡張部Ｒとして、例えば1次関数を設定する（ＬＵＴ拡張部Ｇ、ＬＵＴ拡張部Ｂを設定した場合は、ＬＵＴ拡張部Ｇ、ＬＵＴ拡張部Ｂも同様）。すなわち、本実施形態では、ｙＲ＝ＨＲ（ｘＲ）は、（ＭＡＸｉＲ、ＦＲ（ＭＡＸｉＲ））を通り、傾きがＫＲ（ＫＲ＞１）の直線であり、
ＨＲ（ｘＲ）＝ＫＲ×（ｘＲ−ＭＡＸｉＲ）＋ＦＲ（ＭＡＸｉＲ）
＝ＫＲ×ｘＲ＋ＦＲ（ＭＡＸｉＲ）−ＫＲ×ＭＡＸｉＲ
である。ここで、ＫＲとしては、
ＫＲ＝（ＦＲ（ＭＡＸｉＲ）−ＦＲ（ＰＲ））／（ＭＡＸｉＲ−ＰＲ）
但し、ＰＲ：０≦ＰＲ＜ＭＡＸｉＲの範囲の任意の値。
を設定する。
【００９７】
ＱＲは、拡張部入力値ｘＲの採り得る最大値であり、ＨＲ（ＱＲ）は、拡張部出力値ＨＲ（ｘＲ）の採り得る最大値である。
ＨＲ（ＱＲ）＝ＭＡＸｏＲ
となり、
ＱＲ＝（ＨＲ（ＱＲ）−ＦＲ（ＭＡＸｉＲ）＋ＭＡＸｉＲ×ＫＲ）／ＫＲ
となる。なお、ＨＲ（ＱＲ）は、液晶パネル６の高階調部の不具合の対策として、ＨＲ（ＱＲ）＜ＭＡＸｏＲに設定してもよい。
【００９８】
ここで、ｉＲ＝ＩＲ（ｘＲ）、ｉＧ＝ＩＧ（ｘＧ）、ｉＢ＝ＩＢ（ｘＢ）を仮に設定する。ｉＲ＝ＩＲ（ｘＲ）は、ＬＵＴ３５Ｒの補正データを計算するときに、ＦＲ（ｘＲ）又はＨＲ（ｘＲ）の入力値ｘＲとする値である。また、ｉＧ＝ＩＧ（ｘＧ）は、ＬＵＴ３５Ｇの補正データを計算するときに、ＦＧ（ｘＧ）又はＨＧ（ｘＧ）の入力値ｘＧとする値である。また、ｉＢ＝ＩＢ（ｘＢ）は、ＬＵＴ３５Ｂの補正データを計算するときに、ＦＢ（ｘＢ）又はＨＢ（ｘＢ）の入力値ｘＢとする値である。すなわち、ｉＲ＝ＩＲ（ｘＲ）、ｉＧ＝ＩＧ（ｘＧ）、ｉＢ＝ＩＢ（ｘＢ）は、ＬＵＴ３５Ｒ、３５Ｇ、３５Ｂの補正データを計算するときの、ＬＵＴ３５Ｒ、３５Ｇ、３５Ｂの入力側に対する仮想的な入出力テーブルと考えることができる。
【００９９】
図６は、ｉＲ＝ＩＲ（ｘＲ）、ｉＧ＝ＩＧ（ｘＧ）、ｉＢ＝ＩＢ（ｘＢ）を示す。本実施形態では、ＩＲ（ｘＲ）を、
（１）ｘＲ≦ＬｉＲｎの範囲において、
ＩＲ（ｘＲ）＝ＧａｉｎＬＲｎ×ｘＲ、
（２）ＬｉＲｎ＜ｘＲ≦ＨｉＲｎの範囲において、
ＩＲ（ｘＲ）＝（αＲｎ×ＧａｉｎＨＲｎ＋（１−αＲｎ）×ＧａｉｎＬＲｎ）×ｘＲ、
（３）ＨｉＲｎ＜ｘＲの範囲において、
（Ａ）ＧａｉｎＨＲｎ≦１の場合には、
ＩＲ（ｘＲ）＝ＧａｉｎＨＲｎ×ｘＲ、
（Ｂ）１＜ＧａｉｎＨＲｎの場合には、
（Ｂ−１）ＬＵＴ拡張部３５Ｒを設定していなければ、
ＩＲ（ｘＲ）＝ａ１Ｒｎ×ｘＲ＋ｂ１Ｒｎ、
（Ｂ−２）ＬＵＴ拡張部３５Ｒを設定していれば、
（ｉ）ＧａｉｎＨＲｎ≦ＱＲ／ＭＡＸｉＲのとき、
ＩＲ（ｘＲ）＝ＧａｉｎＨＲｎ×ｘＲ、
（ｉｉ）ＱＲ／ＭＡＸｉＲ＜ＧａｉｎＨＲｎのとき、
ＩＲ（ｘＲ）＝ｃＲｎ×ｘＲ＋ｄＲｎ、
（但し、αＲｎ＝（ｘＲ−ＬｉＲｎ）／（ＨｉＲｎ−ＬｉＲｎ）：補間係数
ａ１Ｒｎ＝（ＭＡＸｏＲ−ＨｏＲｎ）／（ＭＡＸｉＲ−ＨｉＲｎ）
ｂ１Ｒｎ＝ＨｏＲｎ−ＨｉＲｎ×（ＭＡＸｏＲ−ＨｏＲｎ）／（ＭＡＸｉＲ−ＨｉＲｎ）
ｃＲｎ＝（ＱＲ−ＨｏＲｎ）／（ＭＡＸｉＲ−ＨｉＲｎ）
ｄＲｎ＝ＨｏＲｎ−ＨｉＲｎ×（ＱＲ−ＨｏＲｎ）／（ＭＡＸｉＲ−ＨｉＲｎ）
ＨｏＲｎ＝ＨｉＲｎ×ＧａｉｎＨＲｎ
ＭＡＸｉＲ：ＦＲ（ｘＲ）、ＧＲ（ｘＲ）における
ＬＵＴ入力値ｘＲの採り得る最大値
ＭＡＸｏＲ：ＦＲ（ｘＲ）、ＧＲ（ｘＲ）の取り得る最大値
ＱＲ：ＨＲ（ｘＲ）における拡張部入力値ｘＲの採り得る最大値）
と設定する。また、ｉＧ＝ＩＧ（ｘＧ）、ｉＢ＝ＩＢ（ｘＢ）も、同様に設定する。
【０１００】
今の場合、１＜ＧａｉｎＨＲｎであり、ＬＵＴ拡張部３５Ｒを設定している。そして、ＧａｉｎＨＲｎ≦ＱＲ／ＭＡＸｉＲである。従って、今の場合、
（３）ＨｉＲｎ＜ｘＲの範囲において、
ＩＲ（ｘＲ）＝ＧａｉｎＨＲｎ×ｘＲ
と設定する。
【０１０１】
また、今の場合、ＧａｉｎＨＧｎ≦１である。従って、今の場合、
（３）ＨｉＧｎ＜ｘＧの範囲において、
ＩＧ（ｘＧ）＝ＧａｉｎＨＧｎ×ｘＧ
と設定する。
【０１０２】
また、今の場合、１＜ＧａｉｎＨＢｎであり、ＬＵＴ拡張部３５Ｂを設定していない。従って、今の場合、
（３）ＨｉＢｎ＜ｘＢの範囲において、
ＩＢ（ｘＢ）＝ａ１Ｂｎ×ｘＢ＋ｂ１Ｂｎと設定する。
【０１０３】
そして、ＬＵＴ３５Ｒの計算後のＬＵＴ出力値ｙＲ＝ＧＲ（ｘＲ）を、
（ｉ−１）０≦ＩＲ（ｘＲ）≦ＭＡＸｉＲとなるｘＲの範囲において、
ｙＲ＝ＧＲ（ｘＲ）＝ＦＲ（ＩＲ（ｘＲ））、
（ｉ―２）ＭＡＸｉＲ＜ＩＲ（ｘＲ）≦ＱＲとなるｘＲの範囲において、
ｙＲ＝ＧＲ（ｘＲ）＝ＨＲ（ＩＲ（ｘＲ））、
と計算する。すなわち、ｙＲ＝ＧＲ（ｘＲ）を、上述の計算式によって計算する。
【０１０４】
また、ＬＵＴ３５Ｇの計算後のＬＵＴ出力値ｙＧ＝ＧＧ（ｘＧ）、ＬＵＴ３５Ｂの計算後のＬＵＴ出力値ｙＢ＝ＧＢ（ｘＢ）も、同様に計算する。なお、今の場合、ＬＵＴ拡張部ＧとＬＵＴ拡張部Ｂは設定していないので、ｘＧの全ての範囲において、ｙＧ＝ＧＧ（ｘＧ）＝ＦＧ（ＩＧ（ｘＧ））と計算し、ｘＢの全ての範囲において、ｙＢ＝ＧＢ（ｘＢ）＝ＦＢ（ＩＢ（ｘＢ））と計算する。
【０１０５】
図７は、ＬＵＴ３５Ｒ、３５Ｇ、３５Ｂの計算後の補正データを示す。ｙＲ＝ＧＲ（ｘＲ）、ｙＧ＝ＧＧ（ｘＧ）、ｙＢ＝ＧＢ（ｘＢ）は、計算後の補正データを示し、ｙＲ＝ＦＲ（ｘＲ）、ｙＧ＝ＦＧ（ｘＧ）、ｙＢ＝ＦＢ（ｘＢ）は、計算前の補正データを示す。赤色（ｙＲ＝ＦＲ（ｘＲ）とｙＲ＝ＧＲ（ｘＲ））に着目すると、高階調（ＨｉＲｎ以上の階調）に対して、輝度が高くなっている。また、緑色（ｙＧ＝ＦＧ（ｘＧ）とｙＧ＝ＧＧ（ｘＧ））に着目すると、高階調（ＨｉＧｎ以上の階調）に対して、輝度が低下していない。また、青色（ｙＢ＝ＦＢ（ｘＢ）とｙＢ＝ＧＢ（ｘＢ））に着目すると、高階調（ＨｉＢｎ以上の階調）に対して、輝度が低下していない。
【０１０６】
本実施形態によれば、Ｌ適合時調整値ＧａｉｎＬを正規化した値ＧａｉｎＬｎ、Ｈ適合時調整値ＧａｉｎＨＲを正規化した値ＧａｉｎＨＲ、Ｌ調整用画像の画像データの入力値Ｌｉｒｅｆを正規化した値Ｌｉｎ、Ｈ調整用画像の画像データの入力値Ｈｉｒｅｆを正規化した値Ｈｉｎに基いて、ＬＵＴ３５Ｒ、３５Ｇ、３５Ｂの補正データが計算される（「Ｒ」「Ｇ」「Ｂ」の添え字は省略）。これにより、様々な色度特性（ノーマルタイプや、クールタイプ、ウォームタイプといった、様々なタイプの所望の色度特性）に合わせた適切なホワイトバランス・γ調整を実現することができる。
【０１０７】
しかも、ＬＵＴ拡張部Ｒ、ＬＵＴ拡張部Ｇ、ＬＵＴ拡張部Ｂの補正データに基いて、ＬＵＴ３５Ｒ、３５Ｇ、３５Ｂの補正データが計算される。これにより、液晶パネル６の最大輝度ポテンシャルを有効活用しつつ高階調に対して適切な色度補正を可能とする適切なホワイトバランス・γ調整を実現することができる。
【０１０８】
＜第２の実施形態＞
次に、第２の実施形態による画像表示装置、及びＬＵＴ調整方法について説明する。図８は、第２の実施形態による画像表示装置の構成を示す。本実施形態では、画像表示装置１は、ディスプレイ単体としての装置であり、例えばパソコンやＢＤプレイヤなどの外部装置を接続して使用され、外部装置から入力される画像データによる画像を表示すると共に、外部装置から入力される音声データによる音声を出力する装置である。画像表示装置１は、外部装置から入力される画像データによる画像を、ＬＵＴの補正データに基いて色度を補正したうえで表示するようになっている。
【０１０９】
本実施形態では、ホワイトバランス・γ調整は、調整用リモコン８０に代えて、調整信号入力装置９０を用いて行われる。調整信号入力装置９０は、ホワイトバランス・γ調整を行うときの各種動作を指示するために調整作業者に操作され、その操作内容を示す操作信号を出力する。
【０１１０】
本実施形態では、画像表示装置１は、上記第１の実施形態におけるチューナ４に代えて、外部入力部１８を備える。また、本実施形態の画像表示装置１は、リモコン９及びリモコン受信部１０に代えて、調整信号入力部１９を備える。
【０１１１】
外部入力部１８は、例えばパソコンやＢＤプレイヤなどの外部装置が接続され、外部装置から出力される画像データ及び音声データが入力される。
【０１１２】
画像処理部５は、マイクロコンピュータ１１による制御のもと、外部入力部１８から入力された画像データ又はチューナ４により生成された画像データが選択的に入力される。そして、画像処理部５は、入力された画像データに対して各種の画像データ処理を行い、その処理後の画像データを液晶パネル６に供給する。画像処理部５は、外部入力部１８から入力された画像データ又はチューナ４により生成された画像データが選択的に入力されること以外は、上記第1の実施形態と同様（図２及びその説明を参照）。
【０１１３】
音声処理部７は、外部入力部１８から入力された音声データに対して各種の音声データ処理を行い、その処理後の音声データをスピーカ８に供給する。スピーカ８は、音声処理部７から供給された音声データによる音声を出力する。
【０１１４】
調整信号入力部１９は、ホワイトバランス・γ調整を行うときに利用され、調整信号入力装置９０が接続されて、調整信号入力装置９０から出力される操作信号が入力される。
【０１１５】
本実施形態では、ＬＵＴ３５Ｒ、３５Ｇ、３５Ｂの補正データの調整は、以下のようにして行われる。まず、オペレータが、調整用画像入力部２に調整用画像供給装置６０を接続し、測定値入力部３に測定装置７０を接続し、調整信号入力部１９に調整信号入力装置９０を接続する。
【０１１６】
そして、上記第1の実施形態における調整用リモコン８０を操作することに代えて、調整信号入力装置９０を操作して、上記第1の実施形態と同様に、調整用画像表示ステップ（＃１）、調整値調整ステップ（＃２）、適合時調整値決定ステップ（＃３）、適合時調整値正規化ステップ（＃４）、調整用入力値正規化ステップ（＃５）、ＬＵＴ拡張部設定ステップ（＃６）、ＬＵＴ計算ステップ（＃７）を行う。
【０１１７】
マイクロコンピュータ１１は、上記第1の実施形態と同様に、ＬＵＴ３５Ｒ、ＬＵＴ３５Ｇ、ＬＵＴ３５Ｂの補正データを計算する。本実施形態において、これら説明した内容以外は、上記第1の実施形態と同様である。
【０１１８】
本実施形態によれば、上記第１の実施形態と同様に、適切なホワイトバランス・γ調整を実現することができる。
【０１１９】
＜第３の実施形態＞
次に、第３の実施形態による画像表示装置、及びＬＵＴ調整方法について説明する。本実施形態では、上記第1の実施形態（又は上記第2の実施形態）におけるＬＵＴ拡張部Ｒ、ＬＵＴ拡張部Ｇ、ＬＵＴ拡張部Ｂを設定せずに、ＬＵＴ３５Ｒ、３５Ｇ、３５Ｂの補正データを計算する。
【０１２０】
すなわち、本実施形態では、（１）Ｌ適合時調整値ＧａｉｎＬＲ、ＧａｉｎＬＧ、ＧａｉｎＬＢを正規化した値ＧａｉｎＬＲｎ、ＧａｉｎＬＧｎ、ＧａｉｎＬＢｎ、Ｈ適合時調整値ＧａｉｎＨＲ、ＧａｉｎＨＧ、ＧａｉｎＨＢを正規化した値ＧａｉｎＨＲｎ、ＧａｉｎＨＧｎ、ＧａｉｎＨＢｎ、（２）Ｌ調整用画像の画像データの入力値ＬｉＲｒｅｆ、ＬｉＧｒｅｆ、ＬｉＢｒｅｆを正規化した値ＬｉＲｎ、ＬｉＧｎ、ＬｉＢｎ、Ｈ調整用画像の画像データの入力値ＨｉＲｒｅｆ、ＨｉＧｒｅｆ、ＨｉＢｒｅｆを正規化した値ＨｉＲｎ、ＨｉＧｎ、ＨｉＢｎ、（３）ＬＵＴ３５Ｒ、３５Ｇ、３５Ｂの補正データに基いて、ＬＵＴ３５Ｒ、３５Ｇ、３５Ｂの補正データを計算する。
【０１２１】
つまり、本実施形態では、ＬＵＴ３５Ｒの計算後のＬＵＴ出力値ｙＲ＝ＧＲ（ｘＲ）を、
（１）ｘＲ≦ＬｉＲｎの範囲において、
ｙＲ＝ＧＲ（ｘＲ）＝ＦＲ（ＧａｉｎＬＲｎ×ｘＲ）、
（２）ＬｉＲｎ＜ｘＲ≦ＨｉＲｎの範囲において、
ｙＲ＝ＧＲ（ｘＲ）
＝ＦＲ（（αＲｎ×ＧａｉｎＨＲｎ＋（１−αＲｎ）×ＧａｉｎＬＲｎ）×ｘＲ）、
（３）ＨｉＲｎ＜ｘＲの範囲において、
（Ａ）ＧａｉｎＨＲｎ≦１の場合には、
ｙＲ＝ＧＲ（ｘＲ）＝ＦＲ（ＧａｉｎＨＲｎ×ｘＲ）、
（Ｂ）１＜ＧａｉｎＨＲｎの場合には、
ｙＲ＝ＧＲ（ｘＲ）＝ＦＲ（ａ１Ｒｎ×ｘＲ＋ｂ１Ｒｎ）、
（但し、ＧａｉｎＲｒｅｆ：画像データの入力値に与えられるゲインの値（調整値）の
初期値（基準調整値）
ＬｉＲｒｅｆ：第1の調整用画像の画像データの入力値
ＨｉＲｒｅｆ：第2の調整用画像の画像データの入力値
（ＬｉＲｒｅｆ＜ＨｉＲｒｅｆ）
ＧａｉｎＬＲ：第1の調整用画像の色バランスが所定の色バランスとなるときの
、ＬｉＲｒｅｆに与えられるゲインの値（適合時調整値）
ＧａｉｎＨＲ：第2の調整用画像の色バランスが所定の色バランスとなるときの
、ＨｉＲｒｅｆに与えられるゲインの値（適合時調整値）
ＧａｉｎＬＲｎ＝ＧａｉｎＬＲ／ＧａｉｎＲｒｅｆ：ＧａｉｎＬＲを正規化した値
ＧａｉｎＨＲｎ＝ＧａｉｎＨＲ／ＧａｉｎＲｒｅｆ：ＧａｉｎＨＲを正規化した値
ＬｉＲｎ＝ＬｉＲｒｅｆ×ＧａｉｎＲｒｅｆ：ＬｉＲｒｅｆを正規化した値
ＨｉＲｎ＝ＨｉＲｒｅｆ×ＧａｉｎＲｒｅｆ：ＨｉＲｒｅｆを正規化した値
αＲｎ＝（ｘＲ−ＬｉＲｎ）／（ＨｉＲｎ−ＬｉＲｎ）：補間係数
ａ１Ｒｎ＝（ＭＡＸｏＲ−ＨｏＲｎ）／（ＭＡＸｉＲ−ＨｉＲｎ）
ｂ１Ｒｎ＝ＨｏＲｎ−ＨｉＲｎ×（ＭＡＸｏＲ−ＨｏＲｎ）／（ＭＡＸｉＲ−ＨｉＲｎ）
ＨｏＲｎ＝ＨｉＲｎ×ＧａｉｎＨＲｎ
ＭＡＸｉＲ：ＦＲ（ｘＲ）、ＧＲ（ｘＲ）における
ＬＵＴ入力値ｘＲの採り得る最大値
ＭＡＸｏＲ：ＦＲ（ｘＲ）、ＧＲ（ｘＲ）の
取り得る最大値）
のように計算する。
【０１２２】
また、ＬＵＴ３５Ｇの計算後のＬＵＴ出力値ｙＧ＝ＧＧ（ｘＧ）を、同様の計算式（添え字「Ｒ」を「Ｇ」に置き換えた計算式）によって計算する。また、ＬＵＴ３５Ｇの計算後のＬＵＴ出力値ｙＢ＝ＧＢ（ｘＢ）を、同様の計算式（添え字「Ｒ」を「Ｂ」に置き換えた計算式）によって計算する。
【０１２３】
図９は、本実施形態のＬＵＴ調整方法（ＬＵＴ３５Ｒ、３５Ｇ、３５Ｂの補正データの調整方法）のフローチャートを示す。本実施形態のＬＵＴ調整方法は、調整用画像表示ステップ（＃１）と、調整値調整ステップ（＃２）と、適合時調整値決定ステップ（＃３）と、適合時調整値正規化ステップ（＃４）と、調整用入力値正規化ステップ（＃５）と、ＬＵＴ計算ステップ（＃７）とを備える。
【０１２４】
本実施形態では、ＬＵＴ３５Ｒ、３５Ｇ、３５Ｂの補正データの調整は、以下のようにして行われる。まず、上記第1の実施形態（又は上記第2の実施形態）と同様に、調整用画像表示ステップ（＃１）、調整値調整ステップ（＃２）、適合時調整値決定ステップ（＃３）、適合時調整値正規化ステップ（＃４）、調整用入力値正規化ステップ（＃５）を行う。
【０１２５】
そして、オペレータが、調整用リモコン８０（又は調整信号入力装置９０）を操作して、ＬＵＴ３５Ｒ、３５Ｇ、３５Ｂの補正データを調整する旨の指示をする。これにより、マイクロコンピュータ１１は、上記第1の実施形態（又は上記第2の実施形態）と異なり、Ｌ適合時調整値ＧａｉｎＬＲを正規化した値ＧａｉｎＬＲｎ、Ｈ適合時調整値ＧａｉｎＨＲを正規化した値ＧａｉｎＨＲｎ、入力値ＬｉＲｒｅｆを正規化した値ＬｉＲｎ、入力値ＨｉＲｒｅｆを正規化した値ＨｉＲｎ、ＬＵＴ３５Ｒの補正データに基いて、ＬＵＴ３５Ｒの補正データを上述の計算式によって計算する。また、マイクロコンピュータ１１は、同様に、ＬＵＴ３５Ｇの補正データ、ＬＵＴ３５Ｂの補正データを上述の計算式によって計算する（ＬＵＴ計算ステップ：＃７）。本実施形態において、これら説明した内容以外は、上記第1の実施形態（又は上記第2の実施形態）と同様である。
【０１２６】
本実施形態によれば、Ｌ適合時調整値ＧａｉｎＬを正規化した値ＧａｉｎＬｎ、Ｈ適合時調整値ＧａｉｎＨＲを正規化した値ＧａｉｎＨＲ、Ｌ調整用画像の画像データの入力値Ｌｉｒｅｆを正規化した値Ｌｉｎ、Ｈ調整用画像の画像データの入力値Ｈｉｒｅｆを正規化した値Ｈｉｎに基いて、ＬＵＴ３５Ｒ、３５Ｇ、３５Ｂの補正データが計算される（「Ｒ」「Ｇ」「Ｂ」の添え字は省略）。これにより、様々な色度特性（ノーマルタイプや、クールタイプ、ウォームタイプといった、様々なタイプの所望の色度特性）に合わせた適切なホワイトバランス・γ調整を実現することができる。
【０１２７】
＜第４の実施形態＞
次に、第４の実施形態による画像表示装置、及びＬＵＴ調整方法について説明する。本実施形態では、Ｌ適合時調整値ＧａｉｎＬＲ、ＧａｉｎＬＧ、ＧａｉｎＬＢ、Ｈ適合時調整値ＧａｉｎＨＲ、ＧａｉｎＨＧ、ＧａｉｎＨＢを正規化せずに、また、Ｌ調整用画像の画像データの入力値ＬｉＲｒｅｆ、ＬｉＧｒｅｆ、ＬｉＢｒｅｆ、Ｈ調整用画像の画像データの入力値ＨｉＲｒｅｆ、ＨｉＧｒｅｆ、ＨｉＢｒｅｆを正規化せずに、ＬＵＴ３５Ｒ、３５Ｇ、３５Ｂの補正データを計算する。
【０１２８】
すなわち、本実施形態では、（１）Ｌ適合時調整値ＧａｉｎＬＲ、ＧａｉｎＬＧ、ＧａｉｎＬＢ、Ｈ適合時調整値ＧａｉｎＨＲ、ＧａｉｎＨＧ、ＧａｉｎＨＢ、（２）Ｌ調整用画像の画像データの入力値ＬｉＲｒｅｆ、ＬｉＧｒｅｆ、ＬｉＢｒｅｆ、Ｈ調整用画像の画像データの入力値ＨｉＲｒｅｆ、ＨｉＧｒｅｆ、ＨｉＢｒｅｆ、（３）ＬＵＴ３５Ｒ、３５Ｇ、３５Ｂの補正データ、及び（４）ＬＵＴ拡張部Ｒ、ＬＵＴ拡張部Ｇ、ＬＵＴ拡張部Ｂの補正データに基いて、ＬＵＴ３５Ｒ、３５Ｇ、３５Ｂの補正データを計算する。
【０１２９】
つまり、本実施形態では、ＬＵＴ３５Ｒの計算後のＬＵＴ出力値ｙＲ＝ＧＲ（ｘＲ）を、
（１）ｘＲ≦ＬｉＲの範囲において、
ｙＲ＝ＧＲ（ｘＲ）＝ＦＲ（ＧａｉｎＬＲ×ｘＲ）、
（２）ＬｉＲ＜ｘＲ≦ＨｉＲの範囲において、
ｙＲ＝ＧＲ（ｘＲ）
＝ＦＲ（（αＲ×ＧａｉｎＨＲ＋（１−αＲ）×ＧａｉｎＬＲ）×ｘＲ）、
（３）Ｈｉ＜ｘの範囲において、
（Ａ）ＧａｉｎＨＲ≦１の場合には、
ｙＲ＝ＧＲ（ｘＲ）＝ＦＲ（ＧａｉｎＨＲ×ｘＲ）、
（Ｂ）１＜ＧａｉｎＨＲの場合には、
（Ｂ−１）ＦＲ（ＭＡＸｉＲ）＝ＭＡＸｏＲであれば、
（ＬＵＴ拡張部Ｒを設定していなければ）
ｙＲ＝ＧＲ（ｘＲ）＝ＦＲ（ａ１Ｒ×ｘＲ＋ｂ１Ｒ）、
（Ｂ−２）ＦＲ（ＭＡＸｉＲ）＜ＭＡＸｏＲであれば、
（ＬＵＴ拡張部Ｒを設定していれば）
（ｉ）ＧａｉｎＨＲ≦ＱＲ／ＭＡＸｉＲのとき、
（ｉ−１）０≦ＧａｉｎＨＲ×ｘＲ≦ＭＡＸｉＲとなる
ｘＲの範囲において、
ｙＲ＝ＧＲ（ｘＲ）＝ＦＲ（ＧａｉｎＨＲ×ｘＲ）、
（ｉ―２）ＭＡＸｉＲ＜ＧａｉｎＨＲ×ｘＲ≦ＱＲとなる
ｘＲの範囲において、
ｙＲ＝ＧＲ（ｘＲ）＝ＨＲ（ＧａｉｎＨＲ×ｘＲ）、
（ｉｉ）ＱＲ／ＭＡＸｉＲ＜ＧａｉｎＨＲのとき、
（ｉｉ―１）０＜ｃＲ×ｘＲ＋ｄＲ≦ＭＡＸｉＲとなる
ｘＲの範囲において、
ｙＲ＝ＧＲ（ｘＲ）＝ＦＲ（ｃＲ×ｘＲ＋ｄＲ）、
（ｉｉ−２）ＭＡＸｉＲ＜ｃＲ×ｘＲ＋ｄＲ≦ＱＲとなる
ｘＲの範囲において、
ｙＲ＝ＧＲ（ｘＲ）＝ＨＲ（ｃＲ×ｘＲ＋ｄＲ）、
（但し、ＬｉＲｒｅｆ：第1の調整用画像の画像データの入力値
ＨｉＲｒｅｆ：第2の調整用画像の画像データの入力値
（ＬｉＲｒｅｆ＜ＨｉＲｒｅｆ）
ＧａｉｎＬＲ：第1の調整用画像の色バランスが所定の色バランスとなるときの
、ＬｉＲｒｅｆに与えられるゲインの値（適合時調整値）
ＧａｉｎＨＲ：第2の調整用画像の色バランスが所定の色バランスとなるときの
、ＨｉＲｒｅｆに与えられるゲインの値（適合時調整値）
αＲ＝（ｘＲ−ＬｉＲｒｅｆ）／（ＨｉＲｒｅｆ−ＬｉＲｒｅｆ）：補間係数
ａ１Ｒ＝（ＭＡＸｏＲ−ＨｏＲｒｅｆ）／（ＭＡＸｉＲ−ＨｉＲｒｅｆ）
ｂ１Ｒ＝ＨｏＲｒｅｆ−ＨｉＲｒｅｆ×（ＭＡＸｏＲ−ＨｏＲｒｅｆ）／（ＭＡＸｉＲ−ＨｉＲｒｅｆ）
ｃＲ＝（ＱＲ−ＨｏＲｒｅｆ）／（ＭＡＸｉＲ−ＨｉＲｒｅｆ）
ｄＲ＝ＨｏＲｒｅｆ−ＨｉＲｒｅｆ×（ＱＲ−ＨｏＲｒｅｆ）／（ＭＡＸｉＲ−ＨｉＲｒｅｆ）
ＨｏＲｒｅｆ＝ＨｉＲｒｅｆ×ＧａｉｎＨＲ
ＭＡＸｉＲ：ＦＲ（ｘＲ）、ＧＲ（ｘＲ）における
ＬＵＴ入力値ｘＲの採り得る最大値
ＭＡＸｏＲ：ＦＲ（ｘＲ）、ＧＲ（ｘＲ）の取り得る最大値
ＱＲ：ＨＲ（ｘＲ）における拡張部入力値ｘＲの採り得る最大値）
のように計算する。
【０１３０】
また、ＬＵＴ３５Ｇの計算後のＬＵＴ出力値ｙＧ＝ＧＧ（ｘＧ）を、同様の計算式（添え字「Ｒ」を「Ｇ」に置き換えた計算式）によって計算する。また、ＬＵＴ３５Ｇの計算後のＬＵＴ出力値ｙＢ＝ＧＢ（ｘＢ）を、同様の計算式（添え字「Ｒ」を「Ｂ」に置き換えた計算式）によって計算する。
【０１３１】
図１０は、本実施形態のＬＵＴ調整方法（ＬＵＴ３５Ｒ、３５Ｇ、３５Ｂの補正データの調整方法）のフローチャートを示す。本実施形態のＬＵＴ調整方法は、調整用画像表示ステップ（＃１）と、調整値調整ステップ（＃２）と、適合時調整値決定ステップ（＃３）と、ＬＵＴ拡張部設定ステップ（＃６）と、ＬＵＴ計算ステップ（＃７）とを備える。
【０１３２】
本実施形態では、ＬＵＴ３５Ｒ、３５Ｇ、３５Ｂの補正データの調整は、以下のようにして行われる。まず、上記第1の実施形態（又は上記第2の実施形態）と同様に、調整用画像表示ステップ（＃１）、調整値調整ステップ（＃２）、適合時調整値決定ステップ（＃３）、ＬＵＴ拡張部設定ステップ（＃６）を行う。
【０１３３】
そして、オペレータが、調整用リモコン８０（又は調整信号入力装置９０）を操作して、ＬＵＴ３５Ｒ、３５Ｇ、３５Ｂの補正データを調整する旨の指示をする。これにより、マイクロコンピュータ１１は、上記第1の実施形態（又は上記第2の実施形態）と異なり、Ｌ適合時調整値ＧａｉｎＬＲ、Ｈ適合時調整値ＧａｉｎＨＲ、入力値ＬｉＲｒｅｆ、入力値ＨｉＲｒｅｆ、ＬＵＴ３５Ｒの補正データ、ＬＵＴ拡張部Ｒの補正データに基いて、ＬＵＴ３５Ｒの補正データを上述の計算式によって計算する。また、マイクロコンピュータ１１は、同様に、ＬＵＴ３５Ｇの補正データ、ＬＵＴ３５Ｂの補正データを上述の計算式によって計算する（ＬＵＴ計算ステップ：＃７）。本実施形態において、これら説明した内容以外は、上記第1の実施形態（又は上記第2の実施形態）と同様である。
【０１３４】
本実施形態によれば、ＬＵＴ拡張部Ｒ、ＬＵＴ拡張部Ｇ、ＬＵＴ拡張部Ｂの補正データに基いて、ＬＵＴ３５Ｒ、３５Ｇ、３５Ｂの補正データが計算される。これにより、液晶パネル６の最大輝度ポテンシャルを有効活用しつつ高階調に対して適切な色度補正を可能とする適切なホワイトバランス・γ調整を実現することができる。
【０１３５】
なお、本発明は、上記各実施形態の構成に限られず、種々の変形が可能である。例えば、ゲイン調整部に代えて、調整用入力値にオフセットを与えるオフセット調整部を設け、ゲイン調整部におけるゲインの値に代えて、オフセット調整部におけるオフセットの値をゲインの値に換算した値を用いて、同様に、ＬＵＴの補正データを計算するようにしてもよい。また、ＬＵＴ拡張部は、1次関数に限られず、例えば2次関数や指数関数であってもよい。
【０１３６】
また、上記実施形態における計算式とは別の計算式によって、ＬＵＴの補正データを計算するようにしてもよい。
【０１３７】
例えば、上記第１の実施形態において、
（２）Ｌｉｎ＜ｘ≦Ｈｉｎの範囲において、
ｙ＝Ｇ（ｘ）＝Ｆ（ａ０ｎ×ｘ＋ｂ０ｎ）、
（但し、ａ０ｎ＝（Ｈｏｎ−Ｌｏｎ）／（Ｈｉｎ−Ｌｉｎ）
ｂ０ｎ＝Ｌｏｎ−Ｌｉｎ×（Ｈｏｎ−Ｌｏｎ）／（Ｈｉｎ−Ｌｉｎ）
Ｌｏｎ＝Ｌｉｎ×ＧａｉｎＬｎ）
のように計算（「Ｒ」「Ｇ」「Ｂ」の添え字は省略している）するようにしてもよい。
【０１３８】
また、例えば、上記第１の実施形態において、
（３）Ｈｉｎ＜ｘの範囲において、
（Ｂ）１＜ＧａｉｎＨｎの場合には、
（Ｂ−１）Ｆ（ＭＡＸｉ）＝ＭＡＸｏであれば、
（ＬＵＴ拡張部を設定していなければ）
ｙ＝Ｇ（ｘ）＝Ｆ（（βｎ×１＋（１−βｎ）×ＧａｉｎＨｎ）×ｘ）、
（但し、βｎ＝（ｘ−Ｈｉｎ）／（ＭＡＸｉ−Ｈｉｎ）：補間係数）
のように計算（「Ｒ」「Ｇ」「Ｂ」の添え字は省略している）するようにしてもよい。
【０１３９】
また、例えば、上記第３の実施形態において、
（２）Ｌｉｎ＜ｘ≦Ｈｉｎの範囲において、
ｙ＝Ｇ（ｘ）＝Ｆ（ａ０ｎ×ｘ＋ｂ０ｎ）、
（但し、ａ０ｎ＝（Ｈｏｎ−Ｌｏｎ）／（Ｈｉｎ−Ｌｉｎ）
ｂ０ｎ＝Ｌｏｎ−Ｌｉｎ×（Ｈｏｎ−Ｌｏｎ）／（Ｈｉｎ−Ｌｉｎ）
Ｌｏｎ＝Ｌｉｎ×ＧａｉｎＬｎ）
のように計算（「Ｒ」「Ｇ」「Ｂ」の添え字は省略している）するようにしてもよい。
【０１４０】
また、例えば、上記第３の実施形態において、
（３）Ｈｉｎ＜ｘの範囲において、
（Ｂ）１＜ＧａｉｎＨｎの場合には、
ｙ＝Ｇ（ｘ）＝Ｆ（（βｎ×１＋（１−βｎ）×ＧａｉｎＨｎ）×ｘ）、
（但し、βｎ＝（ｘ−Ｈｉｎ）／（ＭＡＸｉ−Ｈｉｎ）：補間係数）
のように計算（「Ｒ」「Ｇ」「Ｂ」の添え字は省略している）するようにしてもよい。
【０１４１】
また、例えば、上記第４の実施形態において、
（２）Ｌｉ＜ｘ≦Ｈｉの範囲において、
ｙ＝Ｇ（ｘ）＝Ｆ（ａ０×ｘ＋ｂ０）、
（但し、ａ０＝（Ｈｏｒｅｆ−Ｌｏｒｅｆ）／（Ｈｉｒｅｆ−Ｌｉｒｅｆ）
ｂ０＝Ｌｏｒｅｆ−Ｌｉｒｅｆ×（Ｈｏｒｅｆ−Ｌｏｒｅｆ）／（Ｈｉｒｅｆ−Ｌｉｒｅｆ）
Ｌｏｒｅｆ＝Ｌｉｒｅｆ×ＧａｉｎＬ）
のように計算（「Ｒ」「Ｇ」「Ｂ」の添え字は省略している）するようにしてもよい。
【０１４２】
また、例えば、上記第４の実施形態において、
（３）Ｈｉ＜ｘの範囲において、
（Ｂ）１＜ＧａｉｎＨの場合には、
（Ｂ−１）Ｆ（ＭＡＸｉ）＝ＭＡＸｏであれば、
（ＬＵＴ拡張部を設定していなければ）
ｙ＝Ｇ（ｘ）＝Ｆ（（β×１＋（１−β）×ＧａｉｎＨ）×ｘ）、
（但し、β＝（ｘ−Ｈｉ）／（ＭＡＸｉ−Ｈｉ）：補間係数）
のように計算（「Ｒ」「Ｇ」「Ｂ」の添え字は省略している）するようにしてもよい。
【０１４３】
また、２つの調整用画像に限られず、１つの調整用画像によって、ＬＵＴの補正データを計算してもよく、３つ以上の調整用画像によって、ＬＵＴの補正データを計算してもよい。また、画像を表示するためのディスプレイは、液晶パネルに限られず、プラズマディスプレイ、ＣＲＴディスプレイ、有機ＥＬディスプレイ等であってもよい。ディスプレイがプラズマディスプレイ、ＣＲＴディスプレイ、有機ＥＬディスプレイ等である場合にも、同様の作用、効果が得られる。
【符号の説明】
【０１４４】
１    画像表示装置
２    調整用画像入力部
３    測定値入力部
４    チューナ
５    画像処理部
６    液晶パネル（ディスプレイ）
７    音声処理部
８    スピーカ
９    リモコン
１０    リモコン受信部
１１    マイクロコンピュータ（適合時調整値取得手段、適合時調整値正規化手段、調整用入力値正規化手段、ＬＵＴ拡張部設定手段、ＬＵＴ計算手段）
１８    外部入力部
１９    調整信号入力部
３１Ｒ、３１Ｇ、３１Ｂ    ゲイン調整部（入力値調整手段）
３２Ｒ、３２Ｇ、３２Ｂ    入力値補正部
３３Ｒ、３３Ｇ、３３Ｂ    乗算回路
３４Ｒ、３４Ｇ、３４Ｂ    ゲイン設定部
３５Ｒ、３５Ｇ、３５Ｂ    ＬＵＴ
６０    調整用画像供給装置
７０    測定装置
８０    調整用リモコン
９０    調整信号入力装置
【図１】
0005987472.tif 000002
【図２】
0005987472.tif 000003
【図３】
0005987472.tif 000004
【図４】
0005987472.tif 000005
【図５】
0005987472.tif 000006
【図６】
0005987472.tif 000007
【図７】
0005987472.tif 000008
【図８】
0005987472.tif 000009
【図９】
0005987472.tif 000010
【図１０】
0005987472.tif 000011